(57)【要約】【課題】  リムーバブルメモリを介する所定の画像処理要求に不具合が生じてしまう不用意なタイミングでリムーバブルメモリが着脱されてしまう事態を防止することである。【解決手段】  リムーバブルメモリ１４をリムーブルインタフェース手段１３を介して着脱可能なＭＦＰ部１において、リムーバブルメモリ１４を介する所定の画像処理要求に対する課金を徴収処理する場合に、中央制御部２がリムーバブルメモリ１４を介するスキャナン部３またはプリンタ部６等による所定の画像処理要求の終了状態に基づいて、リムーブルインタフェース手段１３を切断状態に遷移させる構成を特徴とする。【選択図】  図１
2006344079.tif 000002
【特許請求の範囲】
【請求項１】
リムーバブルメモリを接続するためのインタフェース手段を備える画像処理装置であって、
前記リムーバブルメモリを介する所定の画像処理要求に対する課金を徴収処理可能な課金手段と、
前記課金手段による課金処理に伴って、前記リムーバブルメモリを介する所定の画像処理要求の終了状態に基づいて、前記インタフェース手段を切断状態に遷移させる制御手段と、
を有することを特徴する画像処理装置。
【請求項２】
前記制御手段は、前記インタフェース手段を切断状態に遷移させた後、前記リムーバブルメモリを非活性化状態に遷移させることを特徴とする請求項１記載の画像処理装置。
【請求項３】
前記インタフェース手段に対する前記リムーバブルメモリの着脱をロック状態またはロック解除状態とするロック手段を備え、
前記ロック手段は、前記制御手段により前記リムーバブルメモリを非活性化状態に遷移させた後、ロック状態をロック解除状態にすることを特徴とする請求項２記載の画像処理装置。
【請求項４】
前記リムーバブルメモリを介する所定の画像処理要求の終了は、前記所定の画像処理要求の実行が許可されていない状態であることを特徴とする請求項１〜３のいずれかに記載の画像処理装置。
【請求項５】
前記所定の画像処理要求の実行が許可されていない状態は、前記課金手段による課金処理で入金されている残額が画像処理要求の実行の対価よりも低額な状態、精算指示状態のいずれかであることを特徴とする請求項４に記載の画像処理装置。
【請求項６】
前記リムーバブルメモリを介する所定の画像処理要求の終了は、複数ページに対する前記所定の画像処理要求の実行が全て終了している状態であることを特徴とする請求項１〜５のいずれかに記載の画像処理装置。
【請求項７】
前記リムーバブルメモリを介する所定の画像処理要求の終了は、前記所定の画像処理要求の実行がエラー終了する状態であることを特徴とする請求項１〜６のいずれかに記載の画像処理装置。
【請求項８】
前記制御手段は、前記エラー終了の場合、動作の中止指示により、前記インタフェース手段を切断することを特徴とする請求項７に記載の画像処理装置。
【請求項９】
前記所定の画像処理は、スキャナから読み取られる原稿画像データを前記リムーバブルメモリに格納するスキャン格納処理、前記リムーバブルメモリから読み出される画像データをプリンタで印刷するプリント処理、外部装置から受信する画像データを前記リムーバブルメモリに格納する受信処理、前記リムーバブルメモリから読み出される画像データを前記外部装置に送信する送信処理を含むことを特徴とする請求項１〜８のいずれかに記載の画像処理装置。
【請求項１０】
前記課金手段は、前記リムーバブルメモリからの画像処理要求時に記録紙が正常に排紙されたことが検知された場合に課金処理を行うことを特徴とする請求項１〜９のいずれかに記載の画像処理装置。
【請求項１１】
前記課金手段は、前記リムーバブルメモリからの画像処理要求時に、書き込まれる画像データと前記リムーバブルメモリに書き込まれた画像データとの照合が一致する場合に課金処理を行うことを特徴とする請求項１〜１０のいずれかに記載の画像処理装置。
【請求項１２】
リムーバブルメモリを接続するためのインタフェース手段を備える画像処理装置における画像処理方法であって、
前記リムーバブルメモリを介する所定の画像処理要求に対する課金を徴収処理可能な課金ステップと、
前記課金ステップによる課金処理に伴って、前記リムーバブルメモリを介する所定の画像処理要求の終了状態に基づいて、前記インタフェース手段を切断状態に遷移させる制御ステップと、
を有することを特徴する画像処理方法。
【請求項１３】
請求項１２に記載の画像処理方法をコンピュータに実行させるためのプログラムを格納したことを特徴とするコンピュータが読み取り可能な記憶媒体。
【請求項１４】
請求項１２に記載の画像処理方法をコンピュータに実行させることを特徴とするプログラム。
【発明の詳細な説明】
【技術分野】
【０００１】
本発明は、課金処理機能を備える画像処理装置であって、リムーバブルメモリをインタフェースを介して接続して所定の画像処理要求を実行可能な画像処理装置、画像処理方法、コンピュータが読み取り可能なプログラムを格納した記憶媒体およびプログラムに関するものである。
【背景技術】
【０００２】
従来より、コピー、プリント、スキャン等の機能を一台の装置で行う、ＭＦＰ装置が広く知られている。このような装置では、原稿の読み取り部、画像データの記録部を備え、各部を制御することにより、コピー、プリント、スキャン等の機能を実現している。
【０００３】
また、このようなＭＦＰ装置を店舗内など公共の場に設置して、課金装置を備えることにより、一般ユーザから料金を徴収して、コピー等のサービスを提供するものも、一般的によく知られている。
【０００４】
一方で、最近、電子データの記録メディアとして、ＵＳＢ等の標準インタフェースを備えた小型のリムーバブルメモリが広く普及している。このような、リムーバブルメモリは、元来、パーソナルコンピュータなどで編集したデータを保持したり、データを保持したリムーバブルメモリを携帯することにより、他のパーソナルコンピュータとデータの受け渡しをする際によく使われている。このような課金サービスの一例として、既に下記特許文献１が開示されている。
【０００５】
このような、ＵＳＢ接続タイプのリムーバブルメモリでは、操作者が、パーソナルコンピュータのＵＳＢインタフェースに、リムーバブルメモリを接続することにより、パーソナルコンピュータがこれを認識し、リムーバブルメモリが活性化され、メモリからのデータ読み出し、およびメモリへのデータ書き込みが可能になる。
【０００６】
一方、リムーバブルメモリをパーソナルコンピュータから取り外す場合は、操作者は、任意のタイミングでリムーバブルメモリをパーソナルコンピュータのＵＳＢインタフェースから外すことができてしまう。
【０００７】
しかしながら、パーソナルコンピュータがリムーバブルメモリからのデータの読み出し、およびメモリへの書き込みを行っている最中に、ＵＳＢ接続が遮断されると、リムーバブルメモリ内のメモリデータの破壊等の重大な障害を引き起こす可能性がある。
【０００８】
そこで、パーソナルコンピュータのＯＳ（オペレーションシステム）では、インタフェース接続された、リムーバブルメモリのような、ストレージデバイスを取り外す場合は、ＯＳ上で、インタフェースの切断の操作をすることが推奨されている。
【０００９】
すなわち、パーソナルコンピュータのＯＳ上で、ＵＳＢインタフェース接続された、リムーバブルメモリの切断の操作を行うことにより、パーソナルコンピュータは、リムーバブルメモリに対して、データの書き込み、読み出しの終了手順を行い、リムーバブルメモリを非活性化し、操作者に対して、リムーバブルメモリが取り外し可能になったことを表示して告知する。
【００１０】
これにより、操作者は、リムーバブルメモリを安全にパーソナルコンピュータから取り外すことが可能になる。
【特許文献１】特開2004-062706号公報
【発明の開示】
【発明が解決しようとする課題】
【００１１】
上記、従来例で述べた課金機能を備えたＭＦＰ装置において、従来より一般的に知られている、コピーサービス以外にもプリント、スキャンなどの機能を不特定多数のユーザに対して料金を徴収して行うサービスが今後考えられる。
【００１２】
このような場合、ユーザは、プリント画像データの持ち込みや、また、スキャン画像データの格納のために、携帯型のリムーバブルメモリを持ち込んで、上記の課金機能付きのＭＦＰ装置のインタフェースに接続することにより、プリント、スキャンの機能を行うことが考えられる。
【００１３】
この場合、ユーザは、まず、リムーバブルメモリを課金機能付きＭＦＰ装置のインタフェースに接続し、プリント、スキャンの操作を行い、この後、リムーバブルメモリの取り外しを行うことになる。
【００１４】
しかし、従来例のパーソナルコンピュータでのリムーバブルメモリの接続、取り外しの操作手順で述べたように、特にリムーバブルメモリの取り外しの際は、メモリデータの破損等を防止するために、インタフェースを切断し、リムーバブルメモリを非活性化してからでないと、安全に取り外せない恐れがある。
【００１５】
したがって、課金付きＭＦＰ装置にリムーバブルメモリの接続インタフェースを設け、プリント、スキャンの機能を提供する場合も、リムーバブルメモリを安全に取り外すための考慮が必要である。特に、不特定多数のユーザが使用する課金機能付きＭＦＰの場合は、リムーバブルメモリの扱いに不慣れなユーザも想定されるので、特別な操作を必要とせず、かつ、安全にリムーバブルメモリが取り外せることが必要とされる。
【００１６】
本発明は、上記の課題を解決するためになされたもので、本発明の目的は、リムーバブルメモリを接続するためのインタフェース手段を備える画像処理装置において、リムーバブルメモリを介する所定の画像処理要求に対する課金を徴収処理する場合に、リムーバブルメモリを介する所定の画像処理要求の終了状態に基づいて、インタフェース手段を切断状態に遷移させることにより、リムーバブルメモリを介する所定の画像処理要求に不具合が生じてしまう不用意なタイミングでリムーバブルメモリが着脱されてしまう事態を防止したり、操作者は、リムーバブルメモリの取り外しの手順を意識しなくても、動作終了後に、常に安全にリムーバブルメモリを取り外すことが可能となったり、リムーバブルメモリのデータの破損、メモリの破壊などを防止することができたり、ユーザの利便性が向上させることができたりする画像処理装置、画像処理方法、コンピュータが読み取り可能なプログラムを格納した記憶媒体およびプログラムを提供することである。
【課題を解決するための手段】
【００１７】
上記目的を達成する本発明の画像処理装置は以下に示す構成を備える。
【００１８】
リムーバブルメモリを接続するためのインタフェース手段を備える画像処理装置であって、前記リムーバブルメモリを介する所定の画像処理要求に対する課金を徴収処理可能な課金手段と、前記課金手段による課金処理に伴って、前記リムーバブルメモリを介する所定の画像処理要求の終了状態に基づいて、前記インタフェース手段を切断状態に遷移させる制御手段とを有することを特徴する。
【００１９】
上記目的を達成する本発明の画像処理方法は以下に示す構成を備える。
【００２０】
リムーバブルメモリを接続するためのインタフェース手段を備える画像処理装置における画像処理方法であって、前記リムーバブルメモリを介する所定の画像処理要求に対する課金を徴収処理可能な課金ステップと、前記課金ステップによる課金処理に伴って、前記リムーバブルメモリを介する所定の画像処理要求の終了状態に基づいて、前記インタフェース手段を切断状態に遷移させる制御ステップとを有することを特徴する。
【発明の効果】
【００２１】
本発明によれば、リムーバブルメモリを介する所定の画像処理要求に不具合が生じてしまう不用意なタイミングでリムーバブルメモリが着脱されてしまう事態を防止したり、操作者は、リムーバブルメモリの取り外しの手順を意識しなくても、動作終了後に、常に安全にリムーバブルメモリを取り外すことが可能となり、リムーバブルメモリのデータの破損、メモリの破壊などを防止することができ、ユーザの利便性が向上させることができる。
【発明を実施するための最良の形態】
【００２２】
次に本発明を実施するための最良の形態について図面を参照して説明する。
【００２３】
＜システム構成の説明＞
〔第１実施形態〕
以下、図面を参照して本発明の実施の形態を説明する。
【００２４】
図１は、本発明の第１実施形態を示す画像処理装置の一例を示すブロック図であり、課金処理機能を備えるＭＦＰの例である。
【００２５】
図１において、１はＭＦＰ部で、スキャナン部３とプリンタ部６を制御することで、スキャナン処理機能、プリント処理機能、コピー機能処理を実行可能に構成されている。２１は課金装置で、所定のインタフェースを介してＭＦＰ部１と通信可能に構成されている。
【００２６】
なお、プリンタ部６は、所謂電子写真プロセスを実行可能なカラーレーザビームプリンタエンジンを備えている。また、スキャナ部３は、図示しないＣＣＤイメージセンサ等を備えて、ＡＤＦ等の原稿給送装置から給送される原稿画像を読み取る。
【００２７】
まず、図１に示すＭＦＰ部１の各部について説明する。
【００２８】
ＭＦＰ部１において、２は中央制御部で、ＭＦＰ部１の各部を総括的に制御する。３はスキャナ部で、原稿をセットして、原稿の読み取りを行う。
【００２９】
４は読み取り制御部で、スキャナ部３で読み取りを行う際のスキャナの走査や読み取り信号を処理する。５は記録処理部で、プリンタ部６で画像の印字記録の制御を行い、また、記録画像信号の処理を行う。
【００３０】
なお、プリンタ部６は、記録紙に印字記録を行うためのである。なお、本実施例装置では、プリンタ部６は、排紙検知センサ７を備えて、印字記録された記録紙が６のプリンタ部の排紙トレーに出力されると、排紙検知センサ７は記録紙の排紙を検知して、記録制御部５にその旨を伝達される。
【００３１】
８は画像処理部で、本実施形態のＭＦＰ部１が扱う各種の画像信号に対して、画像品質を向上させるために、様々な処理を施す。９は画像メモリで、画像処理部８が画像処理を行う際に画像の書き込み、読み出しを行うためのワークメモリとして機能する。
【００３２】
１０はＲＯＭで、中央制御部２が各種の処理、制御を行うためのプログラムが格納されている。なお、図示しない外部記憶装置を備えて、該外部記憶装置から制御プログラムをＲＡＭ１１にロードして実行する構成であっても差し支えない。ＲＡＭ１１は中央制御部２が処理、制御を行う際にデータの書き込み、読み出しに使用される。
【００３３】
１２は操作部で、操作者が各種の操作を行う。なお、本実施形態において、操作部１２は、操作のための入力キーと表示パネルを備えているものとする。１３はリムーバブルメモリインタフェース（リムーバブルメモリＩ／Ｆ）で、リムーバブルメモリ１４を接続するた。本実施形態では、このインタフェースはＵＳＢインタフェースであるとする。
【００３４】
１４はリムーバブルメモリで、操作者が画像データの持ち込み、画像データの格納にために本ＭＦＰ部１に接続して使用する。
【００３５】
なお、本実施形態では、リムーバブルメモリ１４に対するメモリアクセス中にリムーバブルメモリ１４が抜き取られる事態を回避するため、リムーバブルメモリロック機構部１５を備えており、ＭＦＰ部１がリムーバブルメモリ１４を使用する動作を行っている場合、動作が終了するまで、リムーバブルメモリ１４の取り外しを禁止するために、リムーバブルメモリ１４をメカ的に保持、ロックして、リムーバブルメモリ１４が取り外せないようにしている。
【００３６】
１６は課金装置インタフェース部で、課金装置２１とのインタフェースを取る。
【００３７】
次に、図１に示す課金装置２１の各部の説明を行う。
【００３８】
図１に示す課金装置２１において、２２は制御部で、課金装置２１の各部を総括的に制御する。２３は金銭投入部で、操作者がＭＦＰ部１を使用するための料金（紙幣、硬貨を含む）を投入する。２４はつり銭取り出し部で、操作者が１のＭＦＰ部１によりコピー、プリント、スキャンのサービスを受け、課金された後につり銭を払い出す。
【００３９】
２５は精算操作部で、操作者がコピー、プリント、スキャンのサービスを終了する際に、料金を精算する。２６は設定メモリで、課金のために、コピー、プリント、スキャンの料金（１ページあたりの料金）として設定されている値を更新可能に記憶する。２７は残額メモリで、金銭投入部２３で、投入された金額に対してコピー、プリント、スキャンのサービスを行う毎に、設定メモリ２６に設定されている料金を差し引いて求められる残額を認識する。
【００４０】
２８はＲＯＭで、制御部２２が各部の処理、制御を行うためのプログラムが格納されている。２９は課金装置インタフェース部で、ＭＦＰ部１とのインタフェースを取る。
【００４１】
次に、図１に示した課金装置２１の動作の概要をここで説明する。
【００４２】
制御部２２は金銭投入部２３に金銭が投入されたことを認識すると、この投入金額を算出して、残額メモリ２７に書き込む。
【００４３】
この後、ＭＦＰ部１において、コピー、プリント、スキャンのサービスが行われると、制御部２２は、課金装置インタフェース２９を介してこれを認識して、設定メモリ２６に記憶されているコピー、プリント、スキャンの料金（１ページあたりの料金）を残金メモリ２７の金額から差し引いていく。
【００４４】
残金メモリ２７の金額が減少し、コピー、プリント、スキャンのそれぞれのサービスの料金（１ページあたりの料金）よりも少なくなった場合は、そのサービス機能が不能であることを課金装置インタフェース２９を介して、ＭＦＰ部１に伝える。
【００４５】
また、精算操作部２５により精算の操作がなされた場合は、コピー、プリント、スキャンのいずれのサービス機能も不能になったことを金装置インタフェース２９を介して、１のＭＦＰ部１に伝える。同時に制御部２２は、２残額メモリ２７の残金額を認識し、つり銭取り出し部２４につり銭を供給する。
【００４６】
次に、ここで、ＭＦＰ部１と課金装置２１のインタフェース信号３１について以下に説明する。
【００４７】
図１に示すインタフェース信号３１は、ＭＦＰ部１と課金装置２１は、それぞれ１６の課金装置インタフェース１６、課金インタフェース２９を介してやり取りされる。
【００４８】
図２は、図１に示したインタフェース信号３１の構成と動作を説明するタイミングチャートである。
【００４９】
図２において、１はコピー許可信号であり、制御部２２は、金銭投入部２３に金銭の投入がされた状態で、残額メモリ２７の金額が設定メモリ２６に記憶されているコピー１ページあたりの料金よりも大きいか等しい場合、コピーが可能として、課金装置インタフェース部２９において、コピー許可信号１を"１"とする。
【００５０】
なお、図１の金銭投入部２３に金銭が投入されていない場合、また、残額メモリ２７の金額が設定メモリ２６に記憶されているコピー１ページあたりの料金よりも小さい場合、さらに、精算操作部２５において、精算の要求があった場合は、コピー許可信号１は"０"となる。
【００５１】
同様に、２はプリント許可信号であり、制御部２２は、金銭投入部２３に金銭の投入がされた状態で、残額メモリ２７の金額が設定メモリ２６に記憶されているプリント１ページあたりの料金よりも大きいか等しい場合、プリントが可能として、課金装置インタフェース部２９において、プリント許可信号２を"１"とする。なお、金銭投入部２３に金銭が投入されていない場合、また、残額メモリ２７の金額が設定メモリ２６に記憶されているプリント１ページあたりの料金よりも小さい場合、さらに、精算操作部２５において、精算の要求があった場合は、プリント許可信号２は"０"となる。
【００５２】
３はスキャン許可信号であり、制御部２２は、金銭投入部２３に金銭の投入がされた状態で、残額メモリ２７の金額が設定メモリ２６に記憶されているスキャン１ページあたりの料金よりも大きいか等しい場合、スキャンが可能として、課金装置インタフェース部２９において、図２に示したスキャン許可信号１を"１"とする。
【００５３】
なお、金銭投入部２３に金銭が投入されていない場合、また、残額メモリ２７の金額が設定メモリ２６に記憶されているスキャン１ページあたりの料金よりも小さい場合、さらに、精算操作部２５において、精算の要求があった場合は、３スキャン許可信号３は"０"となる。
【００５４】
一方、図１に示した１のＭＦＰ部１は、コピー、プリント、スキャンの動作を行いこれが終了すると、図１の課金装置２１に対して、処理内容を示すデータを送出する。
【００５５】
すなわち、図１に示す中央制御部２は、コピー、プリント、スキャンの各動作が終了すると、課金インタフェース部１６により、終了したサービス動作種別を示すために、処理終了データ４と処理終了データ５を出力する。
【００５６】
図２に示す処理終了データ４と処理終了データ５が示す動作種別は、図２の処理終了データ４と処理終了データ５の"１"、"０"信号の組み合わせにより、図３に示すテーブルＴＡＢ１に示すように定義するものとする。
【００５７】
なお、図１に示すＭＦＰ部１側の課金装置インタフェース１６は、上記の図２に示す処理終了データ４と処理終了データ５を出力している間に、このデータを課金装置２１側の課金装置インタフェース２９が取り込むために課金ストローブ信号６を送出する。
【００５８】
課金装置２１は、課金装置インタフェース２９により、処理終了データ４と処理終了データ５を検知し、課金ストローブ信号６の立ち上がりエッジの検出により図２の処理終了データ４と処理終了データ５を取り込み、同時に、コピー、プリント、スキャンの動作が正しく終了したものとして、課金装置２１内で課金の処理を行う。
【００５９】
まず、図１に示した課金装置２１の詳細な動作を図４、図５、図６に示すフローチャートに基づき説明する。
【００６０】
図４は、本発明に係る画像処理装置における第１のデータ処理手順の一例を示すフローチャートであり、図１に示した課金装置２１における制御部２２が実行する課金処理手順に対応する。なお、Ｓ１〜Ｓ１１は各ステップを示す。また、各ステップは、制御部２２がＲＯＭ２８に記憶される制御プログラムをワークメモリ上にロードして実行することで実現される。
【００６１】
先ず、制御部２２は、金銭投入部２３に金銭が投入されることを監視している（Ｓ１）。操作者がコピー、プリント、スキャンのサービスを受けるために、金銭を投入すると、図１に示した制御部２２は、金銭投入部２３に金銭が投入されたことを認識する。これにより、図１に示す制御部２２は、投入金額を算出して、残額メモリ２７に書き込む（Ｓ２）。
【００６２】
次に、制御部２２は、残額メモリ２７の金額により可能なサービス動作を判定する詳細は後述する図５に示す判定ルーチンを実行する（Ｓ３）。
【００６３】
図５は、本発明に係る画像処理装置における第２のデータ処理手順の一例を示すフローチャートであり、図１に示した課金装置２１における制御部２２が実行する課金処理手順に対応する。なお、Ｓ２１〜Ｓ３０は各ステップを示す。また、各ステップは、制御部２２がＲＯＭ２８に記憶される制御プログラムをワークメモリ上にロードして実行することで実現される。
【００６４】
先ず、制御部２２は、残額メモリ２７の金額比較を行う（Ｓ２１）。図１の制御部２２は、残額メモリ２７の金額と２６の設定メモリに格納されている、コピー料金（コピー１ページ当たりの料金：ａとする。）とを比較して、残額メモリ２７の金額が≧ａ以上であるかどうかを判断して（Ｓ２２）、制御部２２が残額メモリ２７の金額がａよりも大きいか、等しいと判断した場合、コピー動作が可能であるとして、図２に示したコピー許可信号１を"１"として（Ｓ２３）、本処理をリターンして、図４に示したステップＳ４へ進む。
【００６５】
一方、ステップＳ２２で、残額メモリ２７の金額がａよりも小さいと制御部ｙ２２が判断した場合、コピーが不能であるとして、図２にコピー許可信号１を"０"とし（Ｓ２４）、本処理をリターンして、図４に示したステップＳ４へ進む。
【００６６】
同様に、制御部２２は、残額メモリ２７の金額と、設定メモリ２６に格納されている、プリント料金（プリント１ページ当たりの料金；ｂとする。）とを比較して、残額メモリ２７の金額が≧ｂ以上であるかどうかを判断して（Ｓ２５）、残額メモリ２７の金額がｂよりも大きいか、等しいと判断した場合、プリント動作が可能であるとして、図２に示したプリント許可信号２を"１"として（Ｓ２６）、本処理をリターンして、図４に示したステップＳ４へ進む。
【００６７】
一方、ステップＳ２５で、残額メモリ２７の金額がｂよりも小さいと判断した場合、プリントが不能であるとして、図２に示したプリント許可信号２を"０"として（Ｓ２７）、本処理をリターンして、図４に示したステップＳ４へ進む。
【００６８】
同様に、図１の制御部２２は、残額メモリ２７の金額と、設定メモリ２６に格納されている、スキャン料金（スキャン１ページ当たりの料金；ｃとする。）とを比較して、残額メモリ２７の金額が≧ｃ以上であるかどうかを判断して（Ｓ２８）、残額メモリ２７の金額がｃよりも大きいか、等しいと判断した場合、スキャン動作が可能であるとして、図２に示したスキャン許可信号３を"１"として（Ｓ２９）、本処理をリターンして、図４に示したステップＳ４へ進む。
【００６９】
一方、ステップＳ２８で、残額メモリ２７の金額がｃよりも小さいと判断した場合、スキャンが不能であるとして、図２に示したスキャン許可信号３を"０"として（Ｓ３０）、本処理をリターンして、図４に示したステップＳ４へ進む。
【００７０】
この後、図１の制御部２２は、図１１のＭＦＰ部で行われるサービス動作を監視する。
【００７１】
すなわち、制御部２２は、課金装置インタフェース部２９において、図２の６の課金ストローブ信号を監視して（Ｓ４）、制御部２２は、課金装置インタフェース部２９において、図２に示した課金ストローブ信号６を検出すると、その立ち上がりエッジにより、課金装置インタフェース部２９における、処理終了データ４、処理終了データ５を取り込む（Ｓ５）。
【００７２】
これにより、制御部２２は、処理終了データ４、処理終了データ５により処理を判定する詳細は後述する図６に示すサービス動作判定ルーチンを実行して、料金の減算を行う（Ｓ６）。
【００７３】
図６は、本発明に係る画像処理装置における第３のデータ処理手順の一例を示すフローチャートであり、図１に示した課金装置２１における制御部２２が実行する課金処理手順に対応する。なお、Ｓ４１〜Ｓ４４は各ステップを示す。また、各ステップは、制御部２２がＲＯＭ２８に記憶される制御プログラムをワークメモリ上にロードして実行することで実現される。
【００７４】
先ず、制御部２２は、図２に示した処理終了データ４、処理終了データ５の組み合わせを図３に示したテーブルＴＡＢと比較して、行われたサービスがコピー、プリント、スキャンのいずれかであるかを判断する（Ｓ４１）。これに従い、制御部２２は、サービスに応じた料金を残額から減額する。
【００７５】
すなわち、制御部２２は、残額メモリ２７を読み出し、２６の設定メモリを参照しながら、行われたサービスがコピーであれば、ａを残額メモリ２７から減算して（Ｓ４２）、本処理をリターンして、図４に示したステップＳ７へ進む。
【００７６】
また、行われたサービスがプリントであると判断した場合、ｂを残額メモリ２７から減算して（Ｓ４３）、本処理をリターンして、図４に示したステップＳ７へ進む。
【００７７】
さらに、行われたサービスがスキャンであると判断した場合、ｃを残額メモリ２７から減算して（Ｓ４４）、本処理をリターンして、図４に示したステップＳ７へ進む。
【００７８】
そして、制御部２２は、残額メモリ２７の値を読み出して、その値が「０」か否かを判断して（Ｓ７）、「０」でないと判断した場合（残額があれば）上記ステップＳ２から同様の処理動作を繰り返す。
【００７９】
一方、ステップＳ７で、残額メモリ２７が「０」であれば（残額なしのとき）は、制御部２２は、図２に示したコピー許可信号１、プリント許可信号２、３のスキャン許可信号をすべて"０"にして（Ｓ８）、本処理を終了する。
【００８０】
なお、制御部２２は、金銭投入部２３に金銭が投入されたことを確認した後、精算操作部２５により操作者が精算操作をすることを常に監視して（Ｓ９）、すなわち、図１の制御部２２は、精算操作部２５により精算操作があったことを検出すると、直ちに、課金装置インタフェース部２９において、図２のコピー許可信号１、プリント許可信号２、３のスキャン許可信号の全てを動作不能であることを示す"０"に設定して（Ｓ１０）、同時に、制御部２２は、残額メモリ２７を読み出して、この金額を２４のつり銭取り出し部２４につり銭として供給して（Ｓ１１）、本処理を終了する。
【００８１】
〔コピー処理〕
次に、ここで、操作者が図１に示したＭＦＰ部１により、コピーの動作を行う場合について、詳細な動作を図７のフローチャートにより説明する。
【００８２】
図７は、本発明に係る画像処理装置における第４のデータ処理手順の一例を示すフローチャートであり、図１に示したＭＦＰ部１における中央制御部２が実行するコピー処理手順に対応する。なお、Ｓ５１〜Ｓ６１は各ステップを示す。また、各ステップは、中央制御部２がＲＯＭ１０に記憶される制御プログラムをワークメモリ上にロードして実行することで実現される。
【００８３】
まず、操作者は、ＭＦＰ部１に接続されている課金装置２１の金銭投入部２３より金銭を投入する（Ｓ５１）。
【００８４】
この後、操作部１２により機能等を選択する図示しない画面上でコピーを選択する操作を行い、コピー原稿をスキャナ部３にセットする（Ｓ５２）。なお、ＡＤＦ等の原稿給送装置を接続している場合には、原稿束を原稿給送装置にセットするものとする。
【００８５】
次に、中央制御部２は、課金装置インタフェース１６により、図２のコピー許可信号１（コピー許可状態）が「１」であるか否かを判定して（Ｓ５３）、コピー許可信号１が"０"であると判断した場合は、コピー不能であると判定して、中央制御部２は、操作部１２により、コピーが不能であることを通知表示して（Ｓ５４）、本終了する。
【００８６】
一方、ステップＳ５３で、コピー許可信号１が"１"であると判断した場合は、コピー可能であるとして、コピー動作を行う。すなわち、中央制御部２は、スキャナ部３のコピー原稿を、読取り処理部４の制御により読取り処理を行う（Ｓ５５）。
【００８７】
この後、中央制御部２は、読み取り処理により得られた、読取り画像データを画像処理部８に転送して、画像処理部８は、画像メモリ９を使用しながら画像処理を施す（Ｓ５６）。
【００８８】
さらに、中央制御部２は、画像処理された画像データを記録部処理部５に転送し、記録処理部５は、転送された画像データにより、記録画像データを生成して、プリンタ部６を制御しながら記録紙に印字記録を行う（Ｓ５７）。
【００８９】
この際、中央制御部２は、排紙検知センサ７により、プリンタ部６から正しく印字記録された記録紙が排出されたかどうかを検知しているので、その状態から記録紙が排出されているか否かを判断して（Ｓ５８）、中央制御部２は、排紙検知センサ７により記録紙が正しく排紙されなかったことを検知していると判断した場合、記録紙ジャム等が発生したものとして、操作部１２によりエラー情報を通知表示して（Ｓ５９）、コピーを終了する。
【００９０】
一方、ステップＳ５８で、中央制御部２は、排紙検知センサ７により記録紙が正しく排紙されたことを検知するとコピーが正常になされたものとして、課金情報を送出する。すなわち、中央制御部２は、課金装置インタフェース１６により、処理終了データ４を"０"、処理終了データ５を"０"として、６の課金ストローブ信号６を送出する（Ｓ６０）。
【００９１】
以上が、1ページのコピーを行う動作であり、1ページのみのコピーである場合はこれで終了する。
【００９２】
そして、複数ページのコピーを行うかどうかを判断して（Ｓ６１）、次ページがあると判断した場合は、ステップＳ５２から動作を繰り返す。
【００９３】
一方、ステップＳ６１で、次ページがなくなった判断した場合は、本処理を終了する。
【００９４】
次に、ここで、操作者が図１のＭＦＰ部により、リムーバブルメモリの画像データをプリントする場合の動作ついて、詳細な動作を図５のフローチャートにより説明する。
【００９５】
図８は、本発明に係る画像処理装置における第５のデータ処理手順の一例を示すフローチャートであり、図１に示したＭＦＰ部１における中央制御部２が実行するプリント処理手順に対応する。なお、Ｓ７１〜Ｓ８９は各ステップを示す。また、各ステップは、中央制御部２がＲＯＭ１０に記憶される制御プログラムをワークメモリ上にロードして実行することで実現される。
【００９６】
まず、操作者は、金銭投入部２３より金銭を投入する（Ｓ７１）。続いて、図１のリムーバブルメモリインタフェース１３に、リムーバブルメモリ１４を接続する（Ｓ７２）。
【００９７】
ここで、図１の中央制御部２は、リムーバブルメモリインタフェース１３により、リムーバブルメモリ１４が接続されたことを検知すると、リムーバブルメモリロック機構１５部により、リムーバブルメモリ１４を抜き差しできないように、機械的にロックをかけ（リムーバブルメモリ１４を抜き差しできないように固定する）、操作者がリムーバブルメモリ１４を取り外せないようにする（Ｓ７３）。
【００９８】
なお、機械的なロック方法は、任意であり、例えばカバ−部材を電気的にラッチ等で開閉できないようにする等があるが、リムーバブルメモリの種別等に応じて、その形状やロック方式は適宜決定すればよい。
【００９９】
この後、操作者は、操作部１２に表示される操作画面を介してプリントを選択する操作を行う。同時に、操作者は、図１の操作部１２により、リムーバブルメモリ１４に格納されている画像ファイルのうち、プリントアウトを希望する画像ファイルを選択する（Ｓ７４）。
【０１００】
なお、この際、操作部１２に、リムーバブルメモリ１４が抜き差しができないロック状態である旨を表示して、操作者に注意を喚起したり、その確認を行うことが可能となる。
【０１０１】
次に、中央制御部２は、課金装置インタフェース１６により、図２に示したプリント許可信号２が許可状態であるか否かを判定して（Ｓ７５）、この際、プリント許可信号２が"０"であると判断した場合は、プリント不能であるので、中央制御部２は、操作部１２により、プリントが不能であることを通知表示する（７６）。
【０１０２】
また、同時に、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ７７）。
【０１０３】
次に、中央制御部２は、リムーバブルメモリロック機構１５によるリムーバブルメモリ１４のロック固定を解除して（Ｓ７８）、本処理を終了する。
【０１０４】
一方、ステップＳ７５で、プリント許可信号２が"１"であると判断した場合は、プリント可能であるとしてプリント動作を行う。すなわち、中央制御部２は、操作部１２により、操作者が選択した画像ファイルをリムーバブルメモリインタフェース１３を介して、リムーバブルメモリ１４から読み出し、この画像ファイルデータを画像処理部８に転送する（Ｓ７９）。
【０１０５】
なお、画像ファイルが選択した場合に、そのファイル全体をプリントする場合と、その一部を印刷したり、レイアウト印刷したりできるように、操作部１２に印刷可能なバリエーションを詳細に表示することは任意である。あるいは、複数の画像ファイルを選択して、双方の画像ファイルから抜き出される各ページをソートして１画像ファイルとして印刷したりする制御を行えるように構成してもよい。
【０１０６】
次に、画像処理部８は、画像メモリ９を使用しながら、所定の画像処理を施す（Ｓ８０）。さらに、中央制御部２は、画像処理された画像データを記録部処理部５に転送し、記録処理部５は、転送された画像データにより、記録画像データを生成して、プリンタ部６を制御しながら記録紙に印字記録を行う（Ｓ８１）。
【０１０７】
この際、中央制御部２は、排紙検知センサ７の検知状態からにより、プリンタ部６から正しく印字記録された記録紙が排出されたかどうかを判断し（Ｓ８２）、中央制御部２は、排紙検知センサ７により記録紙が正しく排紙されなかったと判断した場合、記録紙ジャム等が発生したものとして、操作部１２によりエラー情報を通知表示する（Ｓ８３）。この際、同時に、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ８６）。
【０１０８】
さらに、中央制御部２は、リムーバブルメモリロック機構１５によるリムーバブルメモリ１４のロック固定を解除して（Ｓ８７）、本プリント処理を終了する。
【０１０９】
なお、ステップＳ８３で、エラー通知後に、操作部１２を介してユーザがプリント中止指令をすることによってプリントを中止させてから、ステップＳ８６〜Ｓ８７を行っても良い。
【０１１０】
一方、ステップＳ８２で、中央制御部２は、排紙検知センサ７が記録紙が正しく排紙されたことを検知していると判断した場合は、コピーが正常になされたものとして、課金情報を送出する。すなわち、図１の中央制御部２は、１課金装置インタフェース１６により、図２に示した処理終了データ４を"１"、処理終了データ５を"０"として、課金ストローブ信号６を送出する（Ｓ８４）。以上が、1ページのプリントを行う動作である。
【０１１１】
そして、中央制御部２は、複数ページのプリントを行う設定であるかどうかを判断して（Ｓ８５）、次ページがあると判断した場合は、ステップＳ７４へ戻り、同様の処理を繰り返す。
【０１１２】
一方、ステップＳ８５で、プリントすべきページがなくなったと判断した場合は、プリント処理を終了するが、この際、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ８８）。
【０１１３】
さらに、中央制御部２は、リムーバブルメモリロック機構１５によるリムーバブルメモリ１４のロック固定を解除して（Ｓ８９）、本プリント処理を終了する。
【０１１４】
なお、上記プリント動作において、図１に示したリムーバブルメモリ１４をリムーバブルメモリロック機構１５でロック固定するようにしたのは、正常なプリント動作が終了する前に操作者が、誤ってリムーバブルメモリ１４を抜いてしまわないようにするためである。
【０１１５】
次に、ここで、操作者が図１のＭＦＰ部により、スキャン原稿をスキャンして、リムーバブルメモリに画像データを格納する場合の動作について、詳細な動作を図９のフローチャートにより説明する。
【０１１６】
図９は、本発明に係る画像処理装置における第６のデータ処理手順の一例を示すフローチャートであり、図１に示したＭＦＰ部１における中央制御部２が実行するプリント処理手順に対応する。なお、Ｓ９１〜Ｓ１０９は各ステップを示す。また、各ステップは、中央制御部２がＲＯＭ１０に記憶される制御プログラムをワークメモリ上にロードして実行することで実現される。
【０１１７】
まず、操作者は、金銭投入部２３より金銭を投入する（Ｓ９１）。続いて、図１のリムーバブルメモリインタフェース１３に、リムーバブルメモリ１４を接続する（Ｓ９２）。ここで、図１の中央制御部は、リムーバブルメモリインタフェース１３により、リムーバブルメモリ１４が接続されたことを検知すると、リムーバブルメモリロック機構１５部により、リムーバブルメモリ１４をロック固定して、操作者がリムーバブルメモリ１４を取り外せないようにする（Ｓ９３）。
【０１１８】
この後、図１の操作部１２によりスキャンを選択する操作を行い、スキャン原稿をスキャナ部３にセットする（Ｓ９４）。
【０１１９】
次に、中央制御部２は、課金装置インタフェース１６により、図２に示したスキャン許可信号３を判定する（Ｓ９５）。
【０１２０】
この際、図２の３のスキャン許可信号が"０"であれば、スキャン不能であるので、中央制御部２は、操作部１２により、スキャンが不能であることを通知表示する（Ｓ９６）。同時に、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ９７）。
【０１２１】
さらに、図１の中央制御部２は、リムーバブルメモリロック機構１５によるリムーバブルメモリ１４のロック固定を解除して（Ｓ９８）、本処理を終了する。
【０１２２】
一方、ステップＳ９５で、プリント許可信号２が"１"であると判断した場合は、スキャン可能であるとしてスキャン動作を行う。すなわち、中央制御部２は、スキャナ部３のスキャン原稿を、読取り処理部４の制御により読取り処理を行う（Ｓ９９）。
【０１２３】
この後、中央制御部２は、読み取り処理により得られた、読取り画像データを画像処理部８に転送して、画像処理部８は、画像メモリ９を使用しながら画像処理を施す（Ｓ１００）。
【０１２４】
そこで、中央制御部２は、画像処理された画像データを任意のファイル名をつけて画像ファイルとして、リムーバブルメモリインタフェース１３を介して、リムーバブルメモリ１４に格納する（Ｓ１０１）。
【０１２５】
この後、図１の中央制御部は、リムーバブルメモリインタフェース１３を介して、リムーバブルメモリ１４に書き込んだ上記画像ファイルのデータを読み出し、Ｓ１００で一時的に画像メモリ９に記憶しておいた上記書き込みを行った画像データとの照合（ベリファイ）を行う（Ｓ１０２）。
【０１２６】
ここで、図１の中央制御部２は、照合結果が一致しなかった場合は、正しく画像ファイルのデータがリムーバブルメモリ１４に書き込まれなかったものとして、操作部１２によりエラー情報を通知表示して（Ｓ１０３）、スキャン動作を終了する。
【０１２７】
同時に、図１の中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ１０６）。
【０１２８】
さらに、図１の中央制御部２は、リムーバブルメモリロック機構１５によるリムーバブルメモリ１４のロック固定を解除して（Ｓ１０７）、処理を終了する。
【０１２９】
なお、ステップＳ１０３で、エラー通知後に、操作部１２を介してユーザがプリント中止指令をすることによってプリントを中止させてから、Ｓ１０６〜Ｓ１０７を行っても良い。
【０１３０】
一方、ステップＳ１０２で、図１の中央制御部２は、照合結果が一致したと判断した場合は、正しく、スキャン動作がなされたものとして、課金情報を送出する。
【０１３１】
すなわち、図１の中央制御部２は、課金装置インタフェース１６により、図２に示した処理終了データ４を"０"、処理終了データ５を"１"として、６の課金ストローブ信号６を送出する（Ｓ１０４）。
【０１３２】
以上が、１ページのスキャンを行う動作であり、複数ページのスキャンを行う場合は、次ページがあるか否かを判断して（Ｓ１０５）、次ページがあると判断した場合は、上記ステップＳ９４から動作を繰り返す。
【０１３３】
一方、ステップ（１０５）で、スキャンすべきページがなくなったと判断した場合は、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ１０８）。
【０１３４】
さらに、中央制御部２は、リムーバブルメモリロック機構１５によるリムーバブルメモリ１４のロック固定を解除して（Ｓ１０９）、本処理を終了する。
【０１３５】
なお、上記図９に示すスキャン動作において、リムーバブルメモリ１４をリムーバブルメモリロック機構１５でロック固定するようにしたのは、正常なスキャン動作が終了する前に操作者が、誤ってリムーバブルメモリ１４を抜いてしまわないようにすると同時に、課金動作前に、リムーバブルメモリを引き抜いて料金を徴収せずにデータを持ち出すことを防止するためである。
【０１３６】
上記実施形態によれば、リムーバブルメモリを接続してプリントアウト、スキャンする課金機能付きＭＦＰ装置において、料金の徴収により投入金額が０になった場合、または、残額がプリントアウト、スキャンに必要な料金よりも少なくなった場合、または、操作者が精算処理を行った場合は、これを検知して、リムーバブルメモリの読み出し、書き込み処理を終了し、リムーバブルメモリインタフェースを切断し、リムーバブルメモリを非活性化する。
【０１３７】
従って、操作者は、リムーバブルメモリの取り外しの手順を意識しなくても、動作終了後に、常に安全にリムーバブルメモリを取り外すことが可能になり、リムーバブルメモリのデータの破損、メモリの破壊などを防止することができ、利便性が増す。
【０１３８】
〔第２実施形態〕
上記実施形態では、課金処理に対して、金銭投入部２３に対してユーザが直接現金を投入するシステムを例としているが、カード決済可能とするようにカード読み取り装置を備えて、外部の信用会社のサーバで認証する処理に代えることで、同様に本発明を適用可能であり、課金処理においてカード決済されたかどうかを判定する処理に代えることで適用できる。
【０１３９】
〔第３実施形態〕
上記実施形態では、課金処理に対して、金銭投入部２３に対してユーザが直接現金を投入するシステムを例としているが、携帯電話と通信可能なインタフェースを備えて、携帯電話にプールされている電子マネーを利用し、その電子マネーに対する課金処理に代えることで、同様に本発明を適用可能である。
【０１４０】
〔第４実施形態〕
上記実施形態では、スキャン処理、プリント処理において、リムーバルメモリ１４のロックとロック解除等の処理を行わない例について説明したが、コピー処理において、読み取られる原稿画像とリムーバルメモリ１４に記憶される画像データ（例えばフォームデータ、ユーザが撮影した画像データ）とを組み合わせてプリンタ部６から出力するような場合に、図８に示すプリント処理におけるリムーバルメモリ１４のロックとロック解除等の処理と、図７に示すコピー処理とを組み合せて行う構成としてもよい。
【０１４１】
〔第５実施形態〕
上記実施形態では、単一のリムーバルメモリ１４を利用して画像処理する場合について説明したが、複数のリムーバルメモリ１４を利用して画像処理する場合には、その着脱可能なタイミングを判定して、ユーザにリムーバルメモリ交換要求を安全に行えるように構成してもよい。
【０１４２】
〔第６実施形態〕
上記実施形態では、リムーバルメモリ１４を利用して画像処理する場合について説明したが、リムーバルメモリ１４の空き容量を調査して、スキャン処理等で登録すべき画像データが登録可能かどうかを判別して、その容量に応じて、リムーバルメモリの交換要求や、格納する画像データのサイズを間引き処理したり、圧縮処理する等の画像処理を加えて、あるいはリムーバルメモリ１４に登録されている画像データを削除できるように制御してユーザの便宜を図ってもよい。
【０１４３】
〔第７実施形態〕
なお、上記実施形態では、ＭＦＰとして、プリント機能、スキャン機能、コピー機能等を実行する例について説明したが、公衆回線にアクセスして、画像データを送受信する処理、例えばファクシミリ送受信処理を行う場合に、上記リムーバルメモリ１４の装着状態を判別して、送信すべき画像データを読み出したり、受信した画像データを格納する際に、上記図９に示すようなリムーバルメモリ１４に対するロック、ロック解除処理を実行したりできるように構成してもよい。
【０１４４】
〔第８実施形態〕
以下、図１０に示すメモリマップを参照して本発明に係る画像処理装置で読み取り可能なデータ処理プログラムの構成について説明する。
【０１４５】
図１０は、本発明に係る画像処理装置で読み取り可能な各種データ処理プログラムを格納する記憶媒体のメモリマップを説明する図である。
【０１４６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４７】
さらに、各種プログラムに従属するデータも上記ディレクトリに管理されている。また、プログラムをコンピュータにインストールするためのプログラムや、インストールするプログラムが圧縮されている場合に、解凍するプログラム等も記憶される場合もある。
【０１４８】
本実施形態における図４〜図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５０】
この場合、記憶媒体から読み出されたプログラムコード自体が本発明の新規な機能を実現することになり、そのプログラムコードを記憶した記憶媒体は本発明を構成することになる。
【０１５１】
従って、プログラムの機能を有していれば、オブジェクトコード、インタプリタにより実行されるプログラム、ＯＳに供給するスクリプトデータ等、プログラムの形態を問わない。
【０１５２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５３】
この場合、記憶媒体から読出されたプログラムコード自体が前述した実施形態の機能を実現することになり、そのプログラムコードを記憶した記憶媒体は本発明を構成することになる。
【０１５４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５８】
本発明は上記実施形態に限定されるものではなく、本発明の趣旨に基づき種々の変形（各実施形態の有機的な組合せを含む）が可能であり、それらを本発明の範囲から排除するものではない。
【０１５９】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１４について説明する。
【０１６０】
〔実施態様１〕
リムーバブルメモリ（図１に示すリムーバブルメモリ１４）を接続するためのインタフェース手段（リムーバブルメモリＩ／Ｆ１３）を備える画像処理装置であって、前記リムーバブルメモリを介する所定の画像処理要求に対する課金を徴収処理可能な課金手段（図１に示す課金装置２１）と、前記課金手段による課金処理に伴って、前記リムーバブルメモリを介する所定の画像処理要求の終了状態に基づいて、前記インタフェース手段を切断状態に遷移させる制御手段（図１に示す中央制御部２）とを有することを特徴する画像処理装置。
【０１６１】
これにより、課金処理を伴う所定の画像処理要求実行中に、リムーバブルメモリが着脱されてしまう事態を回避して、画像処理に不具合が発生することを防止できる。
【０１６２】
〔実施態様２〕
前記制御手段は、前記インタフェース手段を切断状態に遷移させた後（例えば図９に示すステップ（９７））、前記リムーバブルメモリを非活性化状態に遷移させる（例えば図９に示すステップ（９７））ことを特徴とする実施態様１記載の画像処理装置。
【０１６３】
これにより、リムーバブルメモリに対する読み出しや書き込みアクセス中に不具合が発生するようなタイミングでリムーバブルメモリが着脱されることを防止できる。
【０１６４】
〔実施態様３〕
前記インタフェース手段に対する前記リムーバブルメモリの着脱をロック状態またはロック解除状態とするロック手段（図１に示すリムーバブルメモリロック機構部１５）を備え、前記ロック手段は、前記制御手段により前記リムーバブルメモリを非活性化状態に遷移させた後（例えば図９に示すステップ（９７）、（１０６）、（１０８））、ロック状態をロック解除状態にする（例えば図９に示すステップ（９８）、（１０７）、（１０９））ことを特徴とする実施態様２記載の画像処理装置。
【０１６５】
これにより、ロックが解除されている状態では、リムーバブルメモリが着脱されても画像処理に支障がなくなる。
【０１６６】
〔実施態様４〕
前記リムーバブルメモリを介する所定の画像処理要求の終了は、前記所定の画像処理要求の実行が許可されていない状態である（例えば図９に示すステップ（９５））ことを特徴とする実施態様１〜３のいずれかに記載の画像処理装置。
【０１６７】
これにより、リムーバブルメモリを介する所定の画像処理要求が実行されることなくなり、リムーバブルメモリが着脱されても不具合が発生しなくなる。
【０１６８】
〔実施態様５〕
前記所定の画像処理要求の実行が許可されていない状態は、前記課金手段による課金処理で入金されている残額が画像処理要求の実行の対価よりも低額な状態、精算指示状態のいずれかであることを特徴とする実施態様４に記載の画像処理装置。
【０１６９】
これにより、課金処理で決済できない状態を確認した後は、リムーバブルメモリの着脱が自由となる。
【０１７０】
〔実施態様６〕
前記リムーバブルメモリを介する所定の画像処理要求の終了は、複数ページに対する前記所定の画像処理要求の実行が全て終了している状態であることを特徴とする実施態様１〜５のいずれかに記載の画像処理装置。
【０１７１】
これにより、複数のページ処理中に、誤ってリムーバブルメモリが着脱されてしまう不具合が発生してしまうことを防止できる。
【０１７２】
〔実施態様７〕
前記リムーバブルメモリを介する所定の画像処理要求の終了は、前記所定の画像処理要求の実行がエラー終了する状態である（例えば図９に示すステップ（１０３）、（１０６）、（１０８））ことを特徴とする実施態様１〜６のいずれかに記載の画像処理装置。
【０１７３】
これにより、エラー終了する場合には、リムーバブルメモリを着脱されても不具合が発生することがないため、安全な状態でリムーバブルメモリを着脱できる。
【０１７４】
〔実施態様８〕
前記制御手段は、前記エラー終了の場合、動作の中止指示により、前記インタフェース手段を切断することを特徴とする実施態様７に記載の画像処理装置。
【０１７５】
これにより、ユーザの中止指示を捉えることで、リムーバブルメモリを着脱されても不具合が発生することがないため、安全な状態でリムーバブルメモリを着脱できる。
【０１７６】
〔実施態様９〕
前記所定の画像処理は、スキャナから読み取られる原稿画像データを前記リムーバブルメモリに格納するスキャン格納処理、前記リムーバブルメモリから読み出される画像データをプリンタで印刷するプリント処理、外部装置から受信する画像データを前記リムーバブルメモリに格納する受信処理、前記リムーバブルメモリから読み出される画像データを前記外部装置に送信する送信処理を含むことを特徴とする実施態様１〜８のいずれかに記載の画像処理装置。
【０１７７】
〔実施態様１０〕
前記課金手段は、前記リムーバブルメモリからの画像処理要求時に記録紙が正常に排紙されたことが検知された場合に課金処理を行う（図８に示すステップＳ８４）ことを特徴とする実施態様１〜９のいずれかに記載の画像処理装置。
【０１７８】
これにより、確実に画像処理が完了する前に、課金されてしまう事態を回避できる。
【０１７９】
〔実施態様１１〕
前記課金手段は、前記リムーバブルメモリからの画像処理要求時に、書き込まれる画像データと前記リムーバブルメモリに書き込まれた画像データとの照合が一致する場合に課金処理を行うことを特徴とする実施態様１〜１０のいずれかに記載の画像処理装置。
【０１８０】
これにより、リムーバブルメモリに書き込まれる画像データと書き込まれた画像データが不一致となる状態で、課金されてしまう事態を回避できる。
【０１８１】
これにより、リムーバブルメモリを介する所定の画像処理要求を実行する場合であって、課金処理を伴う所定の画像処理要求実行中に、リムーバブルメモリが着脱されてしまう事態を回避して、画像処理に不具合が発生することを防止できる。
【０１８２】
〔実施態様１２〕
リムーバブルメモリを接続するためのインタフェース手段を備える画像処理装置における画像処理方法であって、
前記リムーバブルメモリを介する所定の画像処理要求に対する課金を徴収処理可能な課金ステップ（図８に示すステップＳ８４，図９に示すステップＳ１０４）と、前記課金ステップによる課金処理に伴って、前記リムーバブルメモリを介する所定の画像処理要求の終了状態に基づいて、前記インタフェース手段を切断状態に遷移させる制御ステップ（例えば図８に示すステップＳ７７，Ｓ８６，Ｓ８８）とを有することを特徴する画像処理方法。
【０１８３】
これにより、課金処理を伴う所定の画像処理要求実行中に、リムーバブルメモリが着脱されてしまう事態を回避して、画像処理に不具合が発生することを防止できる。
【０１８４】
〔実施態様１３〕
実施態様１２に記載の画像処理方法をコンピュータに実行させるためのプログラムを格納したことを特徴とするコンピュータが読み取り可能な記憶媒体。
【０１８５】
これにより、実施態様１１と同等の効果を奏する。
【０１８６】
〔実施態様１４〕
実施態様１２に記載の画像処理方法をコンピュータに実行させることを特徴とするプログラム。
【０１８７】
これにより、実施態様１１と同等の効果を奏する。
【図面の簡単な説明】
【０１８８】
【図１】本発明の第１実施形態を示す画像処理装置の一例を示すブロック図である。
【図２】図１に示したインタフェース信号の構成と動作を説明するタイミングチャートである。
【図３】図である。
【図４】本発明に係る画像処理装置における第１のデータ処理手順の一例を示すフローチャートである。
【図５】本発明に係る画像処理装置における第２のデータ処理手順の一例を示すフローチャートである。
【図６】本発明に係る画像処理装置における第３のデータ処理手順の一例を示すフローチャートである。
【図７】本発明に係る画像処理装置における第４のデータ処理手順の一例を示すフローチャートである。
【図８】本発明に係る画像処理装置における第５のデータ処理手順の一例を示すフローチャートである。
【図９】本発明に係る画像処理装置における第６のデータ処理手順の一例を示すフローチャートである。
【図１０】本発明に係る画像処理装置で読み取り可能な各種データ処理プログラムを格納する記憶媒体のメモリマップを説明する図である。
【符号の説明】
【０１８９】
１  ＭＦＰ部
２  中央制御部
３  スキャナ部
６  プリンタ部
７  排紙検知センサ
１４  リムーブルメモリ
１５  リムーブルメモリロック機構部
２１  課金装置
【図１】
2006344079.tif 000003
【図２】
2006344079.tif 000004
【図３】
2006344079.tif 000005
【図４】
2006344079.tif 000006
【図５】
2006344079.tif 000007
【図６】
2006344079.tif 000008
【図７】
2006344079.tif 000009
【図８】
2006344079.tif 000010
【図９】
2006344079.tif 000011
【図１０】
2006344079.tif 000012
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
リムーバブルメモリを接続するためのインタフェース手段を備える画像処理装置であって、
前記リムーバブルメモリを介する画像処理を実行する画像処理実行手段と、
前記画像処理の実行に対する課金の徴収処理を行う課金手段と、
前記課金手段による徴収処理が可能か否かを判断する判断手段と、
前記判断手段によって前記徴収処理が可能と判断され、徴収処理可能な分の画像処理の実行が終了した場合に、
前記課金手段によって前記画像処理の実行に対して徴収処理を行い、前記インタフェース手段を切断状態に遷移させ、前記リムーバブルメモリを取り外し可能な状態にする制御手段と、
を有することを特徴する画像処理装置。
【請求項２】
前記制御手段は、前記インタフェース手段を切断状態に遷移させることにより、前記リムーバブルメモリを非活性化状態に遷移させることを特徴とする請求項１記載の画像処理装置。
【請求項３】
前記インタフェース手段に対する前記リムーバブルメモリの着脱をロック状態またはロック解除状態とするロック手段を備え、
前記ロック手段は、前記制御手段により前記リムーバブルメモリを非活性化状態に遷移させた後、ロック状態をロック解除状態にすることを特徴とする請求項２記載の画像処理装置。
【請求項４】
前記画像処理の実行の終了は、前記画像処理の実行が許可されていない状態であることを特徴とする請求項１〜３のいずれかに記載の画像処理装置。
【請求項５】
前記画像処理の実行が許可されていない状態は、前記課金手段による課金処理で入金されている残額が画像処理要求の実行の対価よりも低額な状態、精算指示状態のいずれかであることを特徴とする請求項４に記載の画像処理装置。
【請求項６】
前記画像処理の実行の終了は、複数ページに対する前記画像処理の実行が全て終了している状態であることを特徴とする請求項１〜５のいずれかに記載の画像処理装置。
【請求項７】
前記画像処理の実行の終了は、前記画像処理の実行がエラー終了する状態であることを特徴とする請求項１〜６のいずれかに記載の画像処理装置。
【請求項８】
前記制御手段は、前記エラー終了の場合、動作の中止指示により、前記インタフェース手段を切断することを特徴とする請求項７に記載の画像処理装置。
【請求項９】
前記画像処理は、スキャナから読み取られる原稿画像データを前記リムーバブルメモリに格納するスキャン格納処理、前記リムーバブルメモリから読み出される画像データをプリンタで印刷するプリント処理、外部装置から受信する画像データを前記リムーバブルメモリに格納する受信処理、前記リムーバブルメモリから読み出される画像データを外部装置に送信する送信処理を含むことを特徴とする請求項１〜８のいずれかに記載の画像処理装置。
【請求項１０】
前記課金手段は、前記画像処理の実行時に記録紙が正常に排紙されたことが検知された場合に徴収処理を行うことを特徴とする請求項１〜９のいずれかに記載の画像処理装置。
【請求項１１】
前記課金手段は、前記画像処理の実行時に、書き込まれる画像データと前記リムーバブルメモリに書き込まれた画像データとの照合が一致する場合に徴収処理を行うことを特徴とする請求項１〜１０のいずれかに記載の画像処理装置。
【請求項１２】
前記インタフェース手段は、ＵＳＢインタフェースを含むことを特徴とする請求項１〜１１のいずれかに記載の画像処理装置。
【請求項１３】
リムーバブルメモリを接続するためのインタフェース手段を備える画像処理装置における画像処理方法であって、
前記リムーバブルメモリを介する画像処理を実行する画像処理実行ステップと、
前記画像処理の実行に対する課金の徴収処理を行う課金ステップと、
前記課金ステップによる徴収処理が可能か否かを判断する判断ステップと、
前記判断ステップによって前記徴収処理が可能と判断され、徴収処理可能な分の画像処理の実行が終了した場合に、
前記課金ステップによって前記画像処理の実行に対して徴収処理を行い、
前記インタフェース手段を切断状態に遷移させ、前記リムーバブルメモリを取り外し可能な状態にする制御ステップと、
を有することを特徴する画像処理方法。
【請求項１４】
請求項１３に記載の画像処理方法をコンピュータに実行させるためのプログラムを格納したことを特徴とするコンピュータが読み取り可能な記憶媒体。
【請求項１５】
請求項１３に記載の画像処理方法をコンピュータに実行させることを特徴とするプログラム。
【請求項１６】
リムーバブルメモリを接続するためのインタフェース手段を備える画像処理装置であって、
前記リムーバブルメモリを介する画像処理を実行する画像処理実行手段と、
前記画像処理の実行に対する課金の徴収処理を行う課金手段と、
前記課金手段による徴収処理が可能か否かを判断する判断手段と、
前記判断手段によって前記徴収処理が可能と判断されなかった場合に、
前記インタフェース手段を切断状態に遷移させ、前記リムーバブルメモリを取り外し可能な状態にする制御手段と、
を有することを特徴する画像処理装置。
【請求項１７】
リムーバブルメモリを接続するためのインタフェース手段を備える画像処理装置における画像処理方法であって、
前記リムーバブルメモリを介する画像処理を実行する画像処理実行ステップと、
前記画像処理の実行に対する課金の徴収処理を行う課金ステップと、
前記課金ステップによる徴収処理が可能か否かを判断する判断ステップと、
前記判断ステップによって前記徴収処理が可能と判断されなかった場合に、
前記インタフェース手段を切断状態に遷移させ、前記リムーバブルメモリを取り外し可能な状態にする制御ステップと、
を有することを特徴する画像処理方法。
【請求項１８】
請求項１７に記載の画像処理方法をコンピュータに実行させるためのプログラムを格納したことを特徴とするコンピュータが読み取り可能な記憶媒体。
【請求項１９】
請求項１７に記載の画像処理方法をコンピュータに実行させることを特徴とするプログラム。
【手続補正２】
【補正対象書類名】明細書
【補正対象項目名】全文
【補正方法】変更
【補正の内容】
【発明の詳細な説明】
【技術分野】
【０００１】
本発明は、課金処理機能を備える画像処理装置であって、リムーバブルメモリをインタフェースを介して接続して所定の画像処理要求を実行可能な画像処理装置、画像処理方法、コンピュータが読み取り可能なプログラムを格納した記憶媒体およびプログラムに関するものである。
【背景技術】
【０００２】
従来より、コピー、プリント、スキャン等の機能を一台の装置で行う、ＭＦＰ装置が広く知られている。このような装置では、原稿の読み取り部、画像データの記録部を備え、各部を制御することにより、コピー、プリント、スキャン等の機能を実現している。
【０００３】
また、このようなＭＦＰ装置を店舗内など公共の場に設置して、課金装置を備えることにより、一般ユーザから料金を徴収して、コピー等のサービスを提供するものも、一般的によく知られている。
【０００４】
一方で、最近、電子データの記録メディアとして、ＵＳＢ等の標準インタフェースを備えた小型のリムーバブルメモリが広く普及している。このような、リムーバブルメモリは、元来、パーソナルコンピュータなどで編集したデータを保持したり、データを保持したリムーバブルメモリを携帯することにより、他のパーソナルコンピュータとデータの受け渡しをする際によく使われている。このような課金サービスの一例として、既に下記特許文献１が開示されている。
【０００５】
このような、ＵＳＢ接続タイプのリムーバブルメモリでは、操作者が、パーソナルコンピュータのＵＳＢインタフェースに、リムーバブルメモリを接続することにより、パーソナルコンピュータがこれを認識し、リムーバブルメモリが活性化され、メモリからのデータ読み出し、およびメモリへのデータ書き込みが可能になる。
【０００６】
一方、リムーバブルメモリをパーソナルコンピュータから取り外す場合は、操作者は、任意のタイミングでリムーバブルメモリをパーソナルコンピュータのＵＳＢインタフェースから外すことができてしまう。
【０００７】
しかしながら、パーソナルコンピュータがリムーバブルメモリからのデータの読み出し、およびメモリへの書き込みを行っている最中に、ＵＳＢ接続が遮断されると、リムーバブルメモリ内のメモリデータの破壊等の重大な障害を引き起こす可能性がある。
【０００８】
そこで、パーソナルコンピュータのＯＳ（オペレーションシステム）では、インタフェース接続された、リムーバブルメモリのような、ストレージデバイスを取り外す場合は、ＯＳ上で、インタフェースの切断の操作をすることが推奨されている。
【０００９】
すなわち、パーソナルコンピュータのＯＳ上で、ＵＳＢインタフェース接続された、リムーバブルメモリの切断の操作を行うことにより、パーソナルコンピュータは、リムーバブルメモリに対して、データの書き込み、読み出しの終了手順を行い、リムーバブルメモリを非活性化し、操作者に対して、リムーバブルメモリが取り外し可能になったことを表示して告知する。
【００１０】
これにより、操作者は、リムーバブルメモリを安全にパーソナルコンピュータから取り外すことが可能になる。
【特許文献１】特開2004-062706号公報
【発明の開示】
【発明が解決しようとする課題】
【００１１】
上記、従来例で述べた課金機能を備えたＭＦＰ装置において、従来より一般的に知られている、コピーサービス以外にもプリント、スキャンなどの機能を不特定多数のユーザに対して料金を徴収して行うサービスが今後考えられる。
【００１２】
このような場合、ユーザは、プリント画像データの持ち込みや、また、スキャン画像データの格納のために、携帯型のリムーバブルメモリを持ち込んで、上記の課金機能付きのＭＦＰ装置のインタフェースに接続することにより、プリント、スキャンの機能を行うことが考えられる。
【００１３】
この場合、ユーザは、まず、リムーバブルメモリを課金機能付きＭＦＰ装置のインタフェースに接続し、プリント、スキャンの操作を行い、この後、リムーバブルメモリの取り外しを行うことになる。
【００１４】
しかし、従来例のパーソナルコンピュータでのリムーバブルメモリの接続、取り外しの操作手順で述べたように、特にリムーバブルメモリの取り外しの際は、メモリデータの破損等を防止するために、インタフェースを切断し、リムーバブルメモリを非活性化してからでないと、安全に取り外せない恐れがある。
【００１５】
したがって、課金付きＭＦＰ装置にリムーバブルメモリの接続インタフェースを設け、プリント、スキャンの機能を提供する場合も、リムーバブルメモリを安全に取り外すための考慮が必要である。特に、不特定多数のユーザが使用する課金機能付きＭＦＰの場合は、リムーバブルメモリの扱いに不慣れなユーザも想定されるので、特別な操作を必要とせず、かつ、安全にリムーバブルメモリが取り外せることが必要とされる。
【００１６】
本発明は、上記の課題を解決するためになされたもので、本発明の目的は、リムーバブルメモリを介する所定の画像処理要求に不具合が生じてしまう不用意なタイミングでリムーバブルメモリが着脱されてしまう事態を防止することができる画像処理装置、画像処理方法、コンピュータが読み取り可能なプログラムを格納した記憶媒体およびプログラムを提供することである。
また、操作者にとって、リムーバブルメモリの取り外しの手順を意識しなくても、動作終了後に、常に安全にリムーバブルメモリを取り外すことが可能となり、リムーバブルメモリのデータの破損、メモリの破壊などを防止することができたり、ユーザの利便性が向上させることができたりする画像処理装置、画像処理方法、コンピュータが読み取り可能なプログラムを格納した記憶媒体およびプログラムを提供することである。
【課題を解決するための手段】
【００１７】
上記目的を達成する本発明の画像処理装置は以下に示す構成を備える。
【００１８】
リムーバブルメモリを接続するためのインタフェース手段を備える画像処理装置であって、前記リムーバブルメモリを介する画像処理を実行する画像処理実行手段と、前記画像処理の実行に対する課金の徴収処理を行う課金手段と、前記課金手段による徴収処理が可能か否かを判断する判断手段と、前記判断手段によって前記徴収処理が可能と判断され、徴収処理可能な分の画像処理の実行が終了した場合に、前記課金手段によって前記画像処理の実行に対して徴収処理を行い、前記インタフェース手段を切断状態に遷移させ、前記リムーバブルメモリを取り外し可能な状態にする制御手段とを有することを特徴する。
また、リムーバブルメモリを接続するためのインタフェース手段を備える画像処理装置であって、前記リムーバブルメモリを介する画像処理を実行する画像処理実行手段と、前記画像処理の実行に対する課金の徴収処理を行う課金手段と、前記課金手段による徴収処理が可能か否かを判断する判断手段と、前記判断手段によって前記徴収処理が可能と判断されなかった場合に、前記インタフェース手段を切断状態に遷移させ、前記リムーバブルメモリを取り外し可能な状態にする制御手段とを有することを特徴する。
【００１９】
上記目的を達成する本発明の画像処理方法は以下に示す構成を備える。
【００２０】
リムーバブルメモリを接続するためのインタフェース手段を備える画像処理装置における画像処理方法であって、前記リムーバブルメモリを介する画像処理を実行する画像処理実行ステップと、前記画像処理の実行に対する課金の徴収処理を行う課金ステップと、前記課金ステップによる徴収処理が可能か否かを判断する判断ステップと、前記判断ステップによって前記徴収処理が可能と判断され、徴収処理可能な分の画像処理の実行が終了した場合に、前記課金ステップによって前記画像処理の実行に対して徴収処理を行い、前記インタフェース手段を切断状態に遷移させ、前記リムーバブルメモリを取り外し可能な状態にする制御ステップとを有することを特徴する。
また、リムーバブルメモリを接続するためのインタフェース手段を備える画像処理装置における画像処理方法であって、前記リムーバブルメモリを介する画像処理を実行する画像処理実行ステップと、前記画像処理の実行に対する課金の徴収処理を行う課金ステップと、前記課金ステップによる徴収処理が可能か否かを判断する判断ステップと、前記判断ステップによって前記徴収処理が可能と判断されなかった場合に、前記インタフェース手段を切断状態に遷移させ、前記リムーバブルメモリを取り外し可能な状態にする制御ステップとを有することを特徴する。
【発明の効果】
【００２１】
本発明によれば、リムーバブルメモリを介する所定の画像処理要求に不具合が生じてしまう不用意なタイミングでリムーバブルメモリが着脱されてしまう事態を防止したり、操作者は、リムーバブルメモリの取り外しの手順を意識しなくても、動作終了後に、常に安全にリムーバブルメモリを取り外すことが可能となり、リムーバブルメモリのデータの破損、メモリの破壊などを防止することができ、ユーザの利便性が向上させることができる。
【発明を実施するための最良の形態】
【００２２】
次に本発明を実施するための最良の形態について図面を参照して説明する。
【００２３】
＜システム構成の説明＞
〔第１実施形態〕
以下、図面を参照して本発明の実施の形態を説明する。
【００２４】
図１は、本発明の第１実施形態を示す画像処理装置の一例を示すブロック図であり、課金処理機能を備えるＭＦＰの例である。
【００２５】
図１において、１はＭＦＰ部で、スキャナ部３とプリンタ部６を制御することで、スキャナ処理機能、プリント処理機能、コピー機能処理を実行可能に構成されている。２１は課金装置で、所定のインタフェースを介してＭＦＰ部１と通信可能に構成されている。
【００２６】
なお、プリンタ部６は、所謂電子写真プロセスを実行可能なカラーレーザビームプリンタエンジンを備えている。また、スキャナ部３は、図示しないＣＣＤイメージセンサ等を備えて、ＡＤＦ等の原稿給送装置から給送される原稿画像を読み取る。
【００２７】
まず、図１に示すＭＦＰ部１の各部について説明する。
【００２８】
ＭＦＰ部１において、２は中央制御部で、ＭＦＰ部１の各部を総括的に制御する。３はスキャナ部で、原稿をセットして、原稿の読み取りを行う。
【００２９】
４は読み取り制御部で、スキャナ部３で読み取りを行う際のスキャナの走査や読み取り信号を処理する。５は記録処理部で、プリンタ部６で画像の印字記録の制御を行い、また、記録画像信号の処理を行う。
【００３０】
なお、プリンタ部６は、記録紙に印字記録を行うためのものである。なお、本実施例装置では、プリンタ部６は、排紙検知センサ７を備えて、印字記録された記録紙がプリンタ部６の排紙トレーに出力されると、排紙検知センサ７は記録紙の排紙を検知して、記録処理部５にその旨を伝達される。
【００３１】
８は画像処理部で、本実施形態のＭＦＰ部１が扱う各種の画像信号に対して、画像品質を向上させるために、様々な処理を施す。９は画像メモリで、画像処理部８が画像処理を行う際に画像の書き込み、読み出しを行うためのワークメモリとして機能する。
【００３２】
１０はＲＯＭで、中央制御部２が各種の処理、制御を行うためのプログラムが格納されている。なお、図示しない外部記憶装置を備えて、該外部記憶装置から制御プログラムをＲＡＭ１１にロードして実行する構成であっても差し支えない。ＲＡＭ１１は中央制御部２が処理、制御を行う際にデータの書き込み、読み出しに使用される。
【００３３】
１２は操作部で、操作者が各種の操作を行う。なお、本実施形態において、操作部１２は、操作のための入力キーと表示パネルを備えているものとする。１３はリムーバブルメモリインタフェース（リムーバブルメモリＩ／Ｆ）で、リムーバブルメモリ１４を接続する。本実施形態では、このインタフェースはＵＳＢインタフェースであるとする。
【００３４】
１４はリムーバブルメモリで、操作者が画像データの持ち込み、画像データの格納にためにＭＦＰ部１に接続して使用する。
【００３５】
なお、本実施形態では、リムーバブルメモリ１４に対するメモリアクセス中にリムーバブルメモリ１４が抜き取られる事態を回避するため、リムーバブルメモリロック機構部１５を備えており、ＭＦＰ部１がリムーバブルメモリ１４を使用する動作を行っている場合、動作が終了するまで、リムーバブルメモリ１４の取り外しを禁止するために、リムーバブルメモリ１４をメカ的に保持、ロックして、リムーバブルメモリ１４が取り外せないようにしている。
【００３６】
１６は課金装置インタフェース部で、課金装置２１とのインタフェースを取る。
【００３７】
次に、図１に示す課金装置２１の各部の説明を行う。
【００３８】
図１に示す課金装置２１において、２２は制御部で、課金装置２１の各部を総括的に制御する。２３は金銭投入部で、操作者がＭＦＰ部１を使用するための料金（紙幣、硬貨を含む）を投入する。２４はつり銭取り出し部で、操作者がＭＦＰ部１によりコピー、プリント、スキャンのサービスを受け、課金された後につり銭を払い出す。
【００３９】
２５は精算操作部で、操作者がコピー、プリント、スキャンのサービスを終了する際に、料金を精算する。２６は設定メモリで、課金のために、コピー、プリント、スキャンの料金（１ページあたりの料金）として設定されている値を更新可能に記憶する。２７は残額メモリで、金銭投入部２３で、投入された金額に対してコピー、プリント、スキャンのサービスを行う毎に、設定メモリ２６に設定されている料金を差し引いて求められる残額を認識する。
【００４０】
２８はＲＯＭで、制御部２２が各部の処理、制御を行うためのプログラムが格納されている。２９は課金装置インタフェース部で、ＭＦＰ部１とのインタフェースを取る。
【００４１】
次に、図１に示した課金装置２１の動作の概要をここで説明する。
【００４２】
制御部２２は金銭投入部２３に金銭が投入されたことを認識すると、この投入金額を算出して、残額メモリ２７に書き込む。
【００４３】
この後、ＭＦＰ部１において、コピー、プリント、スキャンのサービスが行われると、制御部２２は、課金装置インタフェース２９を介してこれを認識して、設定メモリ２６に記憶されているコピー、プリント、スキャンの料金（１ページあたりの料金）を残額メモリ２７の金額から差し引いていく。
【００４４】
残額メモリ２７の金額が減少し、コピー、プリント、スキャンのそれぞれのサービスの料金（１ページあたりの料金）よりも少なくなった場合は、そのサービス機能が不能であることを課金装置インタフェース２９を介して、ＭＦＰ部１に伝える。
【００４５】
また、精算操作部２５により精算の操作がなされた場合は、コピー、プリント、スキャンのいずれのサービス機能も不能になったことを課金装置インタフェース２９を介して、ＭＦＰ部１に伝える。同時に制御部２２は、残額メモリ２７の残額を認識し、つり銭取り出し部２４につり銭を供給する。
【００４６】
次に、ここで、ＭＦＰ部１と課金装置２１間のインタフェース信号３１について以下に説明する。
【００４７】
図１に示すインタフェース信号３１は、ＭＦＰ部１と課金装置２１の間で、それぞれ課金装置インタフェース１６、課金装置インタフェース２９を介してやり取りされる。
【００４８】
図２は、図１に示したインタフェース信号３１の構成と動作を説明するタイミングチャートである。
【００４９】
図２において、１はコピー許可信号であり、制御部２２は、金銭投入部２３に金銭の投入がされた状態で、残額メモリ２７の金額が設定メモリ２６に記憶されているコピー１ページあたりの料金よりも大きいか等しい場合、コピーが可能として、課金装置インタフェース部２９において、コピー許可信号１を"１"とする。
【００５０】
なお、金銭投入部２３に金銭が投入されていない場合、また、残額メモリ２７の金額が設定メモリ２６に記憶されているコピー１ページあたりの料金よりも小さい場合、さらに、精算操作部２５において、精算の要求があった場合は、コピー許可信号１は"０"となる。
【００５１】
２はプリント許可信号であり、制御部２２は、金銭投入部２３に金銭の投入がされた状態で、残額メモリ２７の金額が設定メモリ２６に記憶されているプリント１ページあたりの料金よりも大きいか等しい場合、プリントが可能として、課金装置インタフェース部２９において、プリント許可信号２を"１"とする。なお、金銭投入部２３に金銭が投入されていない場合、また、残額メモリ２７の金額が設定メモリ２６に記憶されているプリント１ページあたりの料金よりも小さい場合、さらに、精算操作部２５において、精算の要求があった場合は、プリント許可信号２は"０"となる。
【００５２】
３はスキャン許可信号であり、制御部２２は、金銭投入部２３に金銭の投入がされた状態で、残額メモリ２７の金額が設定メモリ２６に記憶されているスキャン１ページあたりの料金よりも大きいか等しい場合、スキャンが可能として、課金装置インタフェース部２９において、スキャン許可信号３を"１"とする。
【００５３】
なお、金銭投入部２３に金銭が投入されていない場合、また、残額メモリ２７の金額が設定メモリ２６に記憶されているスキャン１ページあたりの料金よりも小さい場合、さらに、精算操作部２５において、精算の要求があった場合は、スキャン許可信号３は"０"となる。
【００５４】
一方、ＭＦＰ部１は、コピー、プリント、スキャンの動作を行いこれが終了すると、課金装置２１に対して、処理内容を示すデータを送出する。
【００５５】
すなわち、中央制御部２は、コピー、プリント、スキャンの各動作が終了すると、課金装置インタフェース１６により、終了したサービス動作種別を示すために、図２に示す処理終了データ４と処理終了データ５を出力する。
【００５６】
処理終了データ４と処理終了データ５が示す動作種別は、処理終了データ４と処理終了データ５の"１"、"０"信号の組み合わせにより、図３に示すテーブルのように定義される。
【００５７】
なお、ＭＦＰ部１側の課金装置インタフェース１６は、処理終了データ４と処理終了データ５を出力している間に、このデータを課金装置２１側の課金装置インタフェース２９が取り込むために課金ストローブ信号６を送出する。
【００５８】
課金装置２１は、課金装置インタフェース２９により、処理終了データ４と処理終了データ５を検知し、課金ストローブ信号６の立ち上がりエッジの検出により処理終了データ４と処理終了データ５を取り込み、同時に、コピー、プリント、スキャンの動作が正しく終了したものとして、課金装置２１内で課金の処理を行う。
【００５９】
まず、課金装置２１の詳細な動作を図４、図５、図６に示すフローチャートに基づき説明する。
【００６０】
図４は、本発明に係る画像処理装置における第１のデータ処理手順の一例を示すフローチャートであり、課金装置２１における制御部２２が実行する課金処理手順に対応する。なお、Ｓ１〜Ｓ１１は各ステップを示す。また、各ステップは、制御部２２がＲＯＭ２８に記憶される制御プログラムをワークメモリ上にロードして実行することで実現される。
【００６１】
先ず、制御部２２は、金銭投入部２３に金銭が投入されることを監視している（Ｓ１）。操作者がコピー、プリント、スキャンのサービスを受けるために、金銭を投入すると、制御部２２は、金銭投入部２３に金銭が投入されたことを認識する。これにより、制御部２２は、投入金額を算出して、残額メモリ２７に書き込む（Ｓ２）。
【００６２】
次に、制御部２２は、残額メモリ２７の金額により可能なサービス動作を判定する詳細は後述する図５に示す判定ルーチンを実行する（Ｓ３）。
【００６３】
図５は、本発明に係る画像処理装置における第２のデータ処理手順の一例を示すフローチャートであり、課金装置２１における制御部２２が実行する課金処理手順に対応する。なお、Ｓ２１〜Ｓ３０は各ステップを示す。また、各ステップは、制御部２２がＲＯＭ２８に記憶される制御プログラムをワークメモリ上にロードして実行することで実現される。
【００６４】
先ず、制御部２２は、残額メモリ２７の金額比較を行う（Ｓ２１）。制御部２２は、残額メモリ２７の金額と、設定メモリ２６に格納されているコピー料金（コピー１ページ当たりの料金：ａとする。）とを比較して、残額メモリ２７の金額がａ以上であるかどうかを判断して（Ｓ２２）、制御部２２が残額メモリ２７の金額がａよりも大きいか、等しいと判断した場合、コピー動作が可能であるとして、コピー許可信号１を"１"として（Ｓ２３）、本処理をリターンして、図４に示したステップＳ４へ進む。
【００６５】
一方、ステップＳ２２で、残額メモリ２７の金額がａよりも小さいと制御部２２が判断した場合、コピーが不能であるとして、コピー許可信号１を"０"とし（Ｓ２４）、本処理をリターンして、図４に示したステップＳ４へ進む。
【００６６】
同様に、制御部２２は、残額メモリ２７の金額と、設定メモリ２６に格納されているプリント料金（プリント１ページ当たりの料金；ｂとする。）とを比較して、残額メモリ２７の金額がｂ以上であるかどうかを判断して（Ｓ２５）、残額メモリ２７の金額がｂよりも大きいか、等しいと判断した場合、プリント動作が可能であるとして、図２に示したプリント許可信号２を"１"として（Ｓ２６）、本処理をリターンして、図４に示したステップＳ４へ進む。
【００６７】
一方、ステップＳ２５で、残額メモリ２７の金額がｂよりも小さいと判断した場合、プリントが不能であるとして、プリント許可信号２を"０"として（Ｓ２７）、本処理をリターンして、図４に示したステップＳ４へ進む。
【００６８】
同様に、制御部２２は、残額メモリ２７の金額と、設定メモリ２６に格納されているスキャン料金（スキャン１ページ当たりの料金；ｃとする。）とを比較して、残額メモリ２７の金額がｃ以上であるかどうかを判断して（Ｓ２８）、残額メモリ２７の金額がｃよりも大きいか、等しいと判断した場合、スキャン動作が可能であるとして、スキャン許可信号３を"１"として（Ｓ２９）、本処理をリターンして、図４に示したステップＳ４へ進む。
【００６９】
一方、ステップＳ２８で、残額メモリ２７の金額がｃよりも小さいと判断した場合、スキャンが不能であるとして、スキャン許可信号３を"０"として（Ｓ３０）、本処理をリターンして、図４に示したステップＳ４へ進む。
【００７０】
この後、制御部２２は、ＭＦＰ部１で行われるサービス動作を監視する。 
【００７１】
すなわち、制御部２２は、課金装置インタフェース２９において、課金ストローブ信号６を監視して（Ｓ４）、制御部２２は、課金装置インタフェース部２９において、課金ストローブ信号６を検出すると、その立ち上がりエッジにより、課金装置インタフェース部２９における、処理終了データ４、処理終了データ５を取り込む（Ｓ５）。
【００７２】
これにより、制御部２２は、処理終了データ４、処理終了データ５により処理を判定する。詳細は後述する図６に示すサービス動作判定ルーチンを実行して、料金の減算を行う（Ｓ６）。
【００７３】
図６は、本発明に係る画像処理装置における第３のデータ処理手順の一例を示すフローチャートであり、課金装置２１における制御部２２が実行する課金処理手順に対応する。なお、Ｓ４１〜Ｓ４４は各ステップを示す。また、各ステップは、制御部２２がＲＯＭ２８に記憶される制御プログラムをワークメモリ上にロードして実行することで実現される。
【００７４】
先ず、制御部２２は、処理終了データ４、処理終了データ５の組み合わせを図３に示したテーブルと比較して、行われたサービスがコピー、プリント、スキャンのいずれかであるかを判断する（Ｓ４１）。これに従い、制御部２２は、サービスに応じた料金を残額から減額する。
【００７５】
すなわち、制御部２２は、残額メモリ２７の金額を読み出し、２６の設定メモリを参照しながら、行われたサービスがコピーであれば、ａを残額メモリ２７の金額から減算して（Ｓ４２）、本処理をリターンして、図４に示したステップＳ７へ進む。
【００７６】
また、行われたサービスがプリントであると判断した場合、ｂを残額メモリ２７の金額から減算して（Ｓ４３）、本処理をリターンして、図４に示したステップＳ７へ進む。
【００７７】
さらに、行われたサービスがスキャンであると判断した場合、ｃを残額メモリ２７の金額から減算して（Ｓ４４）、本処理をリターンして、図４に示したステップＳ７へ進む。
【００７８】
そして、制御部２２は、残額メモリ２７の値を読み出して、その値が「０」か否かを判断して（Ｓ７）、「０」でないと判断した場合（残額があれば）ステップＳ３から同様の処理動作を繰り返す。
【００７９】
一方、ステップＳ７で、残額メモリ２７が「０」であれば（残額なしのとき）は、制御部２２は、コピー許可信号１、プリント許可信号２、スキャン許可信号３をすべて"０"にして（Ｓ８）、本処理を終了する。
【００８０】
なお、制御部２２は、金銭投入部２３に金銭が投入されたことを確認した後、精算操作部２５により操作者が精算操作をすることを常に監視して（Ｓ９）、すなわち、制御部２２は、精算操作部２５により精算操作があったことを検出すると、直ちに、課金装置インタフェース部２９において、コピー許可信号１、プリント許可信号２、スキャン許可信号３の全てを動作不能であることを示す"０"に設定して（Ｓ１０）、同時に、制御部２２は、残額メモリ２７の金額を読み出して、この金額をつり銭取り出し部２４につり銭として供給して（Ｓ１１）、本処理を終了する。
【００８１】
〔コピー処理〕
次に、ここで、操作者がＭＦＰ部１により、コピーの動作を行う場合について、詳細な動作を図７のフローチャートにより説明する。
【００８２】
図７は、本発明に係る画像処理装置における第４のデータ処理手順の一例を示すフローチャートであり、ＭＦＰ部１における中央制御部２が実行するコピー処理手順に対応する。なお、Ｓ５１〜Ｓ６１は各ステップを示す。また、各ステップは、中央制御部２がＲＯＭ１０に記憶される制御プログラムをワークメモリ上にロードして実行することで実現される。
【００８３】
まず、操作者は、ＭＦＰ部１に接続されている課金装置２１の金銭投入部２３より金銭を投入する（Ｓ５１）。
【００８４】
この後、操作部１２により機能等を選択する図示しない画面上でコピーを選択する操作を行い、原稿をスキャナ部３にセットする（Ｓ５２）。なお、ＡＤＦ等の原稿給送装置を接続している場合には、原稿束を原稿給送装置にセットするものとする。
【００８５】
次に、中央制御部２は、課金装置インタフェース１６により、コピー許可信号１（コピー許可状態）が「１」であるか否かを判定して（Ｓ５３）、コピー許可信号１が"０"であると判断した場合は、コピー不能であると判定して、中央制御部２は、操作部１２により、コピーが不能であることを通知表示して（Ｓ５４）、本処理を終了する。
【００８６】
一方、ステップＳ５３で、コピー許可信号１が"１"であると判断した場合は、コピー可能であるとして、コピー動作を行う。すなわち、中央制御部２は、スキャナ部３の原稿を、読取り処理部４の制御により読取り処理を行う（Ｓ５５）。
【００８７】
この後、中央制御部２は、読み取り処理により得られた、読取り画像データを画像処理部８に転送して、画像処理部８は、画像メモリ９を使用しながら画像処理を施す（Ｓ５６）。
【００８８】
さらに、中央制御部２は、画像処理された画像データを記録部処理部５に転送し、記録処理部５は、転送された画像データにより、記録画像データを生成して、プリンタ部６を制御しながら記録紙に印字記録を行う（Ｓ５７）。
【００８９】
この際、中央制御部２は、排紙検知センサ７により、プリンタ部６から正しく印字記録された記録紙が排出されたかどうかを検知しているので、その状態から記録紙が排出されているか否かを判断して（Ｓ５８）、中央制御部２は、排紙検知センサ７により記録紙が正しく排紙されなかったことを検知していると判断した場合、記録紙ジャム等が発生したものとして、操作部１２によりエラー情報を通知表示して（Ｓ５９）、コピーを終了する。
【００９０】
一方、ステップＳ５８で、中央制御部２は、排紙検知センサ７により記録紙が正しく排紙されたことを検知するとコピーが正常になされたものとして、課金情報を送出する。すなわち、中央制御部２は、課金装置インタフェース１６により、処理終了データ４を"０"、処理終了データ５を"０"として、課金ストローブ信号６を送出する（Ｓ６０）。
【００９１】
以上が、1ページのコピーを行う動作であり、1ページのみのコピーである場合はこれで終了する。
【００９２】
そして、複数ページのコピーを行うかどうかを判断して（Ｓ６１）、次ページがあると判断した場合は、ステップＳ５２から動作を繰り返す。
【００９３】
一方、ステップＳ６１で、次ページがなくなった判断した場合は、本処理を終了する。
【００９４】
次に、ここで、操作者がＭＦＰ部１により、リムーバブルメモリの画像データをプリントする場合の動作ついて、詳細な動作を図８のフローチャートにより説明する。
【００９５】
図８は、本発明に係る画像処理装置における第５のデータ処理手順の一例を示すフローチャートであり、ＭＦＰ部１における中央制御部２が実行するプリント処理手順に対応する。なお、Ｓ７１〜Ｓ８９は各ステップを示す。また、各ステップは、中央制御部２がＲＯＭ１０に記憶される制御プログラムをワークメモリ上にロードして実行することで実現される。
【００９６】
まず、操作者は、金銭投入部２３より金銭を投入する（Ｓ７１）。続いて、リムーバブルメモリインタフェース１３に、リムーバブルメモリ１４を接続する（Ｓ７２）。 
【００９７】
ここで、中央制御部２は、リムーバブルメモリインタフェース１３により、リムーバブルメモリ１４が接続されたことを検知すると、リムーバブルメモリロック機構部１５により、リムーバブルメモリ１４を抜き差しできないように、機械的にロックをかけ（リムーバブルメモリ１４を抜き差しできないように固定する）、操作者がリムーバブルメモリ１４を取り外せないようにする（Ｓ７３）。
【００９８】
なお、機械的なロック方法は、任意であり、例えばカバ−部材を電気的にラッチ等で開閉できないようにする等があるが、リムーバブルメモリの種別等に応じて、その形状やロック方式は適宜決定すればよい。
【００９９】
この後、操作者は、操作部１２に表示される操作画面を介してプリントを選択する操作を行う。同時に、操作者は、操作部１２により、リムーバブルメモリ１４に格納されている画像ファイルのうち、プリントアウトを希望する画像ファイルを選択する（Ｓ７４）。
【０１００】
なお、この際、操作部１２に、リムーバブルメモリ１４が抜き差しができないロック状態である旨を表示して、操作者に注意を喚起したり、その確認を行うことが可能となる。
【０１０１】
次に、中央制御部２は、課金装置インタフェース１６により、プリント許可信号２が"１"であるか否かを判定して（Ｓ７５）、この際、プリント許可信号２が"０"であると判断した場合は、プリント不能であるので、中央制御部２は、操作部１２により、プリントが不能であることを通知表示する（Ｓ７６）。
【０１０２】
また、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ７７）。
【０１０３】
次に、中央制御部２は、リムーバブルメモリロック機構部１５によるリムーバブルメモリ１４のロック固定を解除して（Ｓ７８）、本処理を終了する。
【０１０４】
一方、ステップＳ７５で、プリント許可信号２が"１"であると判断した場合は、プリント可能であるとしてプリント動作を行う。すなわち、中央制御部２は、操作部１２により、操作者が選択した画像ファイルをリムーバブルメモリインタフェース１３を介して、リムーバブルメモリ１４から読み出し、この画像ファイルデータを画像処理部８に転送する（Ｓ７９）。
【０１０５】
なお、画像ファイルが選択された場合に、そのファイル全体をプリントする場合と、その一部を印刷したり、レイアウト印刷したりできるように、操作部１２に印刷可能なバリエーションを詳細に表示することは任意である。あるいは、複数の画像ファイルを選択して、双方の画像ファイルから抜き出される各ページをソートして１画像ファイルとして印刷したりする制御を行えるように構成してもよい。
【０１０６】
次に、画像処理部８は、画像メモリ９を使用しながら、所定の画像処理を施す（Ｓ８０）。さらに、中央制御部２は、画像処理された画像データを記録部処理部５に転送し、記録処理部５は、転送された画像データにより、記録画像データを生成して、プリンタ部６を制御しながら記録紙に印字記録を行う（Ｓ８１）。
【０１０７】
この際、中央制御部２は、排紙検知センサ７の検知状態からにより、プリンタ部６から正しく印字記録された記録紙が排出されたかどうかを判断し（Ｓ８２）、中央制御部２は、排紙検知センサ７により記録紙が正しく排紙されなかったと判断した場合、記録紙ジャム等が発生したものとして、操作部１２によりエラー情報を通知表示する（Ｓ８３）。この際、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ８６）。
【０１０８】
さらに、中央制御部２は、リムーバブルメモリロック機構部１５によるリムーバブルメモリ１４のロック固定を解除して（Ｓ８７）、本プリント処理を終了する。
【０１０９】
なお、ステップＳ８３で、エラー通知後に、操作部１２を介してユーザがプリント中止指令をすることによってプリントを中止させてから、ステップＳ８６〜Ｓ８７を行っても良い。
【０１１０】
一方、ステップＳ８２で、中央制御部２は、排紙検知センサ７が記録紙が正しく排紙されたことを検知していると判断した場合は、コピーが正常になされたものとして、課金情報を送出する。すなわち、中央制御部２は、課金装置インタフェース１６により、処理終了データ４を"１"、処理終了データ５を"０"として、課金ストローブ信号６を送出する（Ｓ８４）。以上が、1ページのプリントを行う動作である。
【０１１１】
そして、中央制御部２は、複数ページのプリントを行う設定であるかどうかを判断して（Ｓ８５）、次ページがあると判断した場合は、ステップＳ７４へ戻り、同様の処理を繰り返す。
【０１１２】
一方、ステップＳ８５で、プリントすべきページがなくなったと判断した場合は、プリント処理を終了するが、この際、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ８８）。
【０１１３】
さらに、中央制御部２は、リムーバブルメモリロック機構部１５によるリムーバブルメモリ１４のロック固定を解除して（Ｓ８９）、本プリント処理を終了する。
【０１１４】
なお、上記プリント動作において、図１に示したリムーバブルメモリ１４をリムーバブルメモリロック機構部１５でロック固定するようにしたのは、正常なプリント動作が終了する前に操作者が、誤ってリムーバブルメモリ１４を抜いてしまわないようにするためである。
【０１１５】
次に、ここで、操作者がＭＦＰ部１により、原稿をスキャンして、リムーバブルメモリに画像データを格納する場合の動作について、詳細な動作を図９のフローチャートにより説明する。
【０１１６】
図９は、本発明に係る画像処理装置における第６のデータ処理手順の一例を示すフローチャートであり、ＭＦＰ部１における中央制御部２が実行するスキャン処理手順に対応する。なお、Ｓ９１〜Ｓ１０９は各ステップを示す。また、各ステップは、中央制御部２がＲＯＭ１０に記憶される制御プログラムをワークメモリ上にロードして実行することで実現される。
【０１１７】
まず、操作者は、金銭投入部２３より金銭を投入する（Ｓ９１）。続いて、リムーバブルメモリインタフェース１３に、リムーバブルメモリ１４を接続する（Ｓ９２）。ここで、中央制御部２は、リムーバブルメモリインタフェース１３により、リムーバブルメモリ１４が接続されたことを検知すると、リムーバブルメモリロック機構部１５により、リムーバブルメモリ１４をロック固定して、操作者がリムーバブルメモリ１４を取り外せないようにする（Ｓ９３）。
【０１１８】
この後、操作部１２によりスキャンを選択する操作を行い、原稿をスキャナ部３にセットする（Ｓ９４）。
【０１１９】
次に、中央制御部２は、課金装置インタフェース１６により、スキャン許可信号３を判定する（Ｓ９５）。
【０１２０】
この際、図２のスキャン許可信号３が"０"であれば、スキャン不能であるので、中央制御部２は、操作部１２により、スキャンが不能であることを通知表示する（Ｓ９６）。同時に、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ９７）。
【０１２１】
さらに、中央制御部２は、リムーバブルメモリロック機構部１５によるリムーバブルメモリ１４のロック固定を解除して（Ｓ９８）、本処理を終了する。
【０１２２】
一方、ステップＳ９５で、スキャン許可信号３が"１"であると判断した場合は、スキャン可能であるとしてスキャン動作を行う。すなわち、中央制御部２は、スキャナ部３の原稿を、読取り処理部４の制御により読取り処理を行う（Ｓ９９）。
【０１２３】
この後、中央制御部２は、読み取り処理により得られた、読取り画像データを画像処理部８に転送して、画像処理部８は、画像メモリ９を使用しながら画像処理を施す（Ｓ１００）。
【０１２４】
そこで、中央制御部２は、画像処理された画像データを任意のファイル名をつけて画像ファイルとして、リムーバブルメモリインタフェース１３を介して、リムーバブルメモリ１４に格納する（Ｓ１０１）。
【０１２５】
この後、中央制御部は、リムーバブルメモリインタフェース１３を介して、リムーバブルメモリ１４に書き込んだ上記画像ファイルのデータを読み出し、Ｓ１００で一時的に画像メモリ９に記憶しておいた上記書き込みを行った画像データとの照合（ベリファイ）を行う（Ｓ１０２）。
【０１２６】
ここで、中央制御部２は、照合結果が一致しなかった場合は、正しく画像ファイルのデータがリムーバブルメモリ１４に書き込まれなかったものとして、操作部１２によりエラー情報を通知表示して（Ｓ１０３）、スキャン動作を終了する。
【０１２７】
同時に、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ１０６）。
【０１２８】
さらに、中央制御部２は、リムーバブルメモリロック機構部１５によるリムーバブルメモリ１４のロック固定を解除して（Ｓ１０７）、処理を終了する。
【０１２９】
なお、ステップＳ１０３で、エラー通知後に、操作部１２を介してユーザがプリント中止指令をすることによってプリントを中止させてから、Ｓ１０６〜Ｓ１０７を行っても良い。
【０１３０】
一方、ステップＳ１０２で、中央制御部２は、照合結果が一致したと判断した場合は、正しく、スキャン動作がなされたものとして、課金情報を送出する。
【０１３１】
すなわち、中央制御部２は、課金装置インタフェース１６により、処理終了データ４を"０"、処理終了データ５を"１"として、課金ストローブ信号６を送出する（Ｓ１０４）。
【０１３２】
以上が、１ページのスキャンを行う動作であり、複数ページのスキャンを行う場合は、次ページがあるか否かを判断して（Ｓ１０５）、次ページがあると判断した場合は、上記ステップＳ９４から動作を繰り返す。
【０１３３】
一方、ステップ（Ｓ１０５）で、スキャンすべきページがなくなったと判断した場合は、中央制御部２は、直ちに、リムーバブルメモリインタフェース１３における、リムーバブルメモリ１４へのデータの書き込み、リムーバブルメモリ１４からのデータ読み出しを終了して、リムーバブルメモリインタフェース１３を切断して、リムーバブルメモリ１４を非活性化する（Ｓ１０８）。
【０１３４】
さらに、中央制御部２は、リムーバブルメモリロック機構部１５によるリムーバブルメモリ１４のロック固定を解除して（Ｓ１０９）、本処理を終了する。
【０１３５】
なお、図９に示すスキャン動作において、リムーバブルメモリ１４をリムーバブルメモリロック機構部１５でロック固定するようにしたのは、正常なスキャン動作が終了する前に操作者が、誤ってリムーバブルメモリ１４を抜いてしまわないようにすると同時に、課金動作前に、リムーバブルメモリ１４を引き抜いて料金を徴収せずにデータを持ち出すことを防止するためである。
【０１３６】
上記実施形態によれば、リムーバブルメモリを接続してプリントアウト、スキャンする課金機能付きＭＦＰ装置において、料金の徴収により投入金額が０になった場合、または、残額がプリントアウト、スキャンに必要な料金よりも少なくなった場合、または、操作者が精算処理を行った場合は、これを検知して、リムーバブルメモリの読み出し、書き込み処理を終了し、リムーバブルメモリインタフェースを切断し、リムーバブルメモリを非活性化する。
【０１３７】
従って、操作者は、リムーバブルメモリの取り外しの手順を意識しなくても、動作終了後に、常に安全にリムーバブルメモリを取り外すことが可能になり、リムーバブルメモリのデータの破損、メモリの破壊などを防止することができ、利便性が増す。
【０１３８】
〔第２実施形態〕
上記第１実施形態では、課金処理に対して、金銭投入部２３に対してユーザが直接現金を投入するシステムを例としているが、カード決済可能とするようにカード読み取り装置を備えて、外部の信用会社のサーバで認証する処理に代えることで、同様に本発明を適用可能であり、課金処理においてカード決済されたかどうかを判定する処理に代えることで適用できる。
【０１３９】
〔第３実施形態〕
上記第１実施形態では、課金処理に対して、金銭投入部２３に対してユーザが直接現金を投入するシステムを例としているが、携帯電話と通信可能なインタフェースを備えて、携帯電話にプールされている電子マネーを利用し、その電子マネーに対する課金処理に代えることで、同様に本発明を適用可能である。
【０１４０】
〔第４実施形態〕
上記第１実施形態では、スキャン処理、プリント処理において、リムーバルメモリ１４のロックとロック解除等の処理を行う例について説明したが、コピー処理において、読み取られる原稿画像とリムーバルメモリ１４に記憶される画像データ（例えばフォームデータ、ユーザが撮影した画像データ）とを組み合わせてプリンタ部６から出力するような場合に、図８に示すプリント処理におけるリムーバルメモリ１４のロックとロック解除等の処理と、図７に示すコピー処理とを組み合せて行う構成としてもよい。
【０１４１】
〔第５実施形態〕
上記第１実施形態では、単一のリムーバルメモリ１４を利用して画像処理する場合について説明したが、複数のリムーバルメモリ１４を利用して画像処理する場合には、その着脱可能なタイミングを判定して、ユーザにリムーバルメモリ交換要求を安全に行えるように構成してもよい。
【０１４２】
〔第６実施形態〕
上記第１実施形態では、リムーバルメモリ１４を利用して画像処理する場合について説明したが、リムーバルメモリ１４の空き容量を調査して、スキャン処理等で登録すべき画像データが登録可能かどうかを判別して、その容量に応じて、リムーバルメモリの交換要求や、格納する画像データのサイズを間引き処理したり、圧縮処理する等の画像処理を加えて、あるいはリムーバルメモリ１４に登録されている画像データを削除できるように制御してユーザの便宜を図ってもよい。
【０１４３】
〔第７実施形態〕
なお、上記第１実施形態では、ＭＦＰとして、プリント機能、スキャン機能、コピー機能等を実行する例について説明したが、公衆回線にアクセスして、画像データを送受信する処理、例えばファクシミリ送受信処理を行う場合に、上記リムーバルメモリ１４の装着状態を判別して、送信すべき画像データを読み出したり、受信した画像データを格納する際に、図９に示すようなリムーバルメモリ１４に対するロック、ロック解除処理を実行したりできるように構成してもよい。
【０１４４】
〔第８実施形態〕
以下、図１０に示すメモリマップを参照して本発明に係る画像処理装置で読み取り可能なデータ処理プログラムの構成について説明する。
【０１４５】
図１０は、本発明に係る画像処理装置で読み取り可能な各種データ処理プログラムを格納する記憶媒体のメモリマップを説明する図である。
【０１４６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４７】
さらに、各種プログラムに従属するデータも上記ディレクトリに管理されている。また、プログラムをコンピュータにインストールするためのプログラムや、インストールするプログラムが圧縮されている場合に、解凍するプログラム等も記憶される場合もある。
【０１４８】
本実施形態における図４〜図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５０】
この場合、記憶媒体から読み出されたプログラムコード自体が本発明の新規な機能を実現することになり、そのプログラムコードを記憶した記憶媒体は本発明を構成することになる。
【０１５１】
従って、プログラムの機能を有していれば、オブジェクトコード、インタプリタにより実行されるプログラム、ＯＳに供給するスクリプトデータ等、プログラムの形態を問わない。
【０１５２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５３】
この場合、記憶媒体から読出されたプログラムコード自体が前述した実施形態の機能を実現することになり、そのプログラムコードを記憶した記憶媒体は本発明を構成することになる。
【０１５４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５８】
本発明は上記実施形態に限定されるものではなく、本発明の趣旨に基づき種々の変形（各実施形態の有機的な組合せを含む）が可能であり、それらを本発明の範囲から排除するものではない。
【０１５９】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１４について説明する。
【０１６０】
〔実施態様１〕
リムーバブルメモリ（図１に示すリムーバブルメモリ１４）を接続するためのインタフェース手段（リムーバブルメモリＩ／Ｆ１３）を備える画像処理装置であって、前記リムーバブルメモリを介する画像処理要求に対する課金を徴収処理可能な課金手段（図１に示す課金装置２１）と、前記課金手段による課金処理に伴って、前記リムーバブルメモリを介する画像処理要求の終了状態に基づいて、前記インタフェース手段を切断状態に遷移させる制御手段（図１に示す中央制御部２）とを有することを特徴する画像処理装置。
【０１６１】
これにより、課金処理を伴う画像処理要求実行中に、リムーバブルメモリが着脱されてしまう事態を回避して、画像処理に不具合が発生することを防止できる。
【０１６２】
〔実施態様２〕
前記制御手段は、前記インタフェース手段を切断状態に遷移させた後（例えば図９に示すステップ（９７））、前記リムーバブルメモリを非活性化状態に遷移させる（例えば図９に示すステップ（９７））ことを特徴とする実施態様１記載の画像処理装置。
【０１６３】
これにより、リムーバブルメモリに対する読み出しや書き込みアクセス中に不具合が発生するようなタイミングでリムーバブルメモリが着脱されることを防止できる。
【０１６４】
〔実施態様３〕
前記インタフェース手段に対する前記リムーバブルメモリの着脱をロック状態またはロック解除状態とするロック手段（図１に示すリムーバブルメモリロック機構部１５）を備え、前記ロック手段は、前記制御手段により前記リムーバブルメモリを非活性化状態に遷移させた後（例えば図９に示すステップ（９７）、（１０６）、（１０８））、ロック状態をロック解除状態にする（例えば図９に示すステップ（９８）、（１０７）、（１０９））ことを特徴とする実施態様２記載の画像処理装置。
【０１６５】
これにより、ロックが解除されている状態では、リムーバブルメモリが着脱されても画像処理に支障がなくなる。
【０１６６】
〔実施態様４〕
前記リムーバブルメモリを介する画像処理要求の終了は、前記画像処理要求の実行が許可されていない状態である（例えば図９に示すステップ（９５））ことを特徴とする実施態様１〜３のいずれかに記載の画像処理装置。
【０１６７】
これにより、リムーバブルメモリを介する画像処理要求が実行されることなくなり、リムーバブルメモリが着脱されても不具合が発生しなくなる。
【０１６８】
〔実施態様５〕
前記画像処理要求の実行が許可されていない状態は、前記課金手段による課金処理で入金されている残額が画像処理要求の実行の対価よりも低額な状態、精算指示状態のいずれかであることを特徴とする実施態様４に記載の画像処理装置。
【０１６９】
これにより、課金処理で決済できない状態を確認した後は、リムーバブルメモリの着脱が自由となる。
【０１７０】
〔実施態様６〕
前記リムーバブルメモリを介する画像処理要求の終了は、複数ページに対する前記画像処理要求の実行が全て終了している状態であることを特徴とする実施態様１〜５のいずれかに記載の画像処理装置。
【０１７１】
これにより、複数のページ処理中に、誤ってリムーバブルメモリが着脱されてしまう不具合が発生してしまうことを防止できる。
【０１７２】
〔実施態様７〕
前記リムーバブルメモリを介する画像処理要求の終了は、前記画像処理要求の実行がエラー終了する状態である（例えば図９に示すステップ（１０３）、（１０６）、（１０８））ことを特徴とする実施態様１〜６のいずれかに記載の画像処理装置。
【０１７３】
これにより、エラー終了する場合には、リムーバブルメモリを着脱されても不具合が発生することがないため、安全な状態でリムーバブルメモリを着脱できる。
【０１７４】
〔実施態様８〕
前記制御手段は、前記エラー終了の場合、動作の中止指示により、前記インタフェース手段を切断することを特徴とする実施態様７に記載の画像処理装置。
【０１７５】
これにより、ユーザの中止指示を捉えることで、リムーバブルメモリを着脱されても不具合が発生することがないため、安全な状態でリムーバブルメモリを着脱できる。
【０１７６】
〔実施態様９〕
前記画像処理は、スキャナから読み取られる原稿画像データを前記リムーバブルメモリに格納するスキャン格納処理、前記リムーバブルメモリから読み出される画像データをプリンタで印刷するプリント処理、外部装置から受信する画像データを前記リムーバブルメモリに格納する受信処理、前記リムーバブルメモリから読み出される画像データを前記外部装置に送信する送信処理を含むことを特徴とする実施態様１〜８のいずれかに記載の画像処理装置。
【０１７７】
〔実施態様１０〕
前記課金手段は、前記リムーバブルメモリからの画像処理要求時に記録紙が正常に排紙されたことが検知された場合に課金処理を行う（図８に示すステップＳ８４）ことを特徴とする実施態様１〜９のいずれかに記載の画像処理装置。
【０１７８】
これにより、確実に画像処理が完了する前に、課金されてしまう事態を回避できる。
【０１７９】
〔実施態様１１〕
前記課金手段は、前記リムーバブルメモリからの画像処理要求時に、書き込まれる画像データと前記リムーバブルメモリに書き込まれた画像データとの照合が一致する場合に課金処理を行うことを特徴とする実施態様１〜１０のいずれかに記載の画像処理装置。
【０１８０】
これにより、リムーバブルメモリに書き込まれる画像データと書き込まれた画像データが不一致となる状態で、課金されてしまう事態を回避できる。
【０１８１】
これにより、リムーバブルメモリを介する画像処理要求を実行する場合であって、課金処理を伴う画像処理要求実行中に、リムーバブルメモリが着脱されてしまう事態を回避して、画像処理に不具合が発生することを防止できる。
【０１８２】
〔実施態様１２〕
リムーバブルメモリを接続するためのインタフェース手段を備える画像処理装置における画像処理方法であって、前記リムーバブルメモリを介する画像処理要求に対する課金を徴収処理可能な課金ステップ（図８に示すステップＳ８４，図９に示すステップＳ１０４）と、前記課金ステップによる課金処理に伴って、前記リムーバブルメモリを介する画像処理要求の終了状態に基づいて、前記インタフェース手段を切断状態に遷移させる制御ステップ（例えば図８に示すステップＳ７７，Ｓ８６，Ｓ８８）とを有することを特徴する画像処理方法。
【０１８３】
これにより、課金処理を伴う画像処理要求実行中に、リムーバブルメモリが着脱されてしまう事態を回避して、画像処理に不具合が発生することを防止できる。
【０１８４】
〔実施態様１３〕
実施態様１２に記載の画像処理方法をコンピュータに実行させるためのプログラムを格納したことを特徴とするコンピュータが読み取り可能な記憶媒体。
【０１８５】
これにより、実施態様１１と同等の効果を奏する。
【０１８６】
〔実施態様１４〕
実施態様１２に記載の画像処理方法をコンピュータに実行させることを特徴とするプログラム。
【０１８７】
これにより、実施態様１１と同等の効果を奏する。
【図面の簡単な説明】
【０１８８】
【図１】本発明の第１実施形態を示す画像処理装置の一例を示すブロック図である。
【図２】図１に示したインタフェース信号の構成と動作を説明するタイミングチャートである。
【図３】処理終了データの組み合わせにより示される処理内容を説明する図である。
【図４】本発明に係る画像処理装置における第１のデータ処理手順の一例を示すフローチャートである。
【図５】本発明に係る画像処理装置における第２のデータ処理手順の一例を示すフローチャートである。
【図６】本発明に係る画像処理装置における第３のデータ処理手順の一例を示すフローチャートである。
【図７】本発明に係る画像処理装置における第４のデータ処理手順の一例を示すフローチャートである。
【図８】本発明に係る画像処理装置における第５のデータ処理手順の一例を示すフローチャートである。
【図９】本発明に係る画像処理装置における第６のデータ処理手順の一例を示すフローチャートである。
【図１０】本発明に係る画像処理装置で読み取り可能な各種データ処理プログラムを格納する記憶媒体のメモリマップを説明する図である。
【符号の説明】
【０１８９】
１  ＭＦＰ部
２  中央制御部
３  スキャナ部
６  プリンタ部
７  排紙検知センサ
１４  リムーブルメモリ
１５  リムーブルメモリロック機構部
２１  課金装置